(57)【要約】【課題】ディスプレイ上のオブジェクトを実行する方法及びそのデバイスを提供する。【解決手段】ディスプレイ上のオブジェクトを実行する方法及びそのデバイスに係り、該オブジェクト実行方法は、ディスプレイ上に表示されたオブジェクトに係わるユーザ入力を受信する段階と、オブジェクトを漸次拡大させて表示する段階と、オブジェクトが拡大されるにつれて、オブジェクトに対応するアプリケーションを実行する段階と、を含む。【選択図】図１
2018067363.tif 000002
【特許請求の範囲】
【請求項１】
電子デバイスがビジュアルディスプレイエレメントを示す方法において、
複数のビジュアルディスプレイエレメントを前記電子デバイスのタッチスクリーン上に示し、前記複数のビジュアルディスプレイエレメントは、複数のアプリケーションに関連し、前記複数のビジュアルディスプレイエレメントのうち一つは、前記複数のビジュアルディスプレイエレメントのうち、前記一つに関連したアプリケーションを示す第１情報を提供し、前記タッチスクリーン上に示された前記複数のビジュアルディスプレイエレメントの表現は、個別的に変更可能なものである段階と、
前記複数のビジュアルディスプレイエレメントのうち、他の一つが第１位置に示されている間に、前記複数のビジュアルディスプレイエレメントのうち、前記一つの表現を変更させるための前記複数のビジュアルディスプレイエレメント上の第１タッチ入力に基づいて、前記複数のビジュアルディスプレイエレメントのうち、前記一つに関連した位置上にインターフェースエレメントをディスプレイする段階と、
前記複数のビジュアルディスプレイエレメントのうち、前記一つに関連した前記位置上にディスプレイされた前記インターフェースエレメントに対する第２タッチ入力に基づいて、
前記複数のビジュアルディスプレイエレメントのうち、前記一つの表現を変更する段階と、
前記複数のビジュアルディスプレイエレメントのうち、前記一つの前記変更された表現内のイメージの全体部分のうち、一部を表現することにより、前記第１情報を第２情報で代替する段階と、
前記複数のビジュアルディスプレイエレメントのうち、前記他の一つを第２位置に示す段階と、を含む方法。
【請求項２】
前記複数のビジュアルディスプレイエレメントのうち、前記一つに関連した前記位置は、前記複数のビジュアルディスプレイエレメントのうち、前記一つのコーナー（ｃｏｒｎｅｒ）部分を含む、請求項１に記載の方法。
【請求項３】
前記電子デバイスの前記タッチスクリーン上に、前記複数のビジュアルディスプレイエレメントのうち、前記一つの前記変更された表現及び前記複数のビジュアルディスプレイエレメントのうち、前記他の一つを示す段階をさらに含む請求項１に記載の方法。
【請求項４】
前記イメージは、第１イメージを含み、
前記方法は、前記複数のビジュアルディスプレイエレメントのうち、前記一つの前記変更された表現に関連した他の位置上の第３タッチ入力に基づいて、前記電子デバイスの前記タッチスクリーン上に前記複数のビジュアルディスプレイエレメントが示されている間に、第２イメージの全体部分のうち、少なくとも一部を示すことにより、前記第２情報を、第３情報で代替する段階をさらに含む請求項１に記載の方法。
【請求項５】
前記第１イメージ及び前記第２イメージは、同じイメージである請求項４に記載の方法。
【請求項６】
前記複数のビジュアルディスプレイエレメントのうち、二つは、互いに異なる二つのアプリケーションにそれぞれ対応する請求項１に記載の方法。
【請求項７】
前記第１情報を、前記第２情報で代替する段階は、
前記イメージの全体部分から前記イメージの一部を獲得する段階と、
前記獲得された一部を、前記複数のビジュアルディスプレイエレメントのうち、前記一つの前記変更された表現内に示すことにより、前記第１情報を、前記第２情報で代替する段階と、を含む請求項１に記載の方法。
【請求項８】
電子デバイスにおいて、
インストラクションを保存するメモリと、
前記インストラクションを行うプロセッサと、
を含み、
前記プロセッサは、
複数のビジュアルディスプレイエレメントを前記電子デバイスのタッチスクリーン上に示し、前記複数のビジュアルディスプレイエレメントは、複数のアプリケーションに関連し、前記複数のビジュアルディスプレイエレメントのうち一つは、前記複数のビジュアルディスプレイエレメントのうち、前記一つに関連したアプリケーションを示す第１情報を提供し、前記タッチスクリーン上に示された前記複数のビジュアルディスプレイエレメントの表現は、個別的に変更可能なものである段階と、
前記複数のビジュアルディスプレイエレメントのうち、他の一つが、第１位置に示されている間に、前記複数のビジュアルディスプレイエレメントのうち、前記一つの表現を変更させるための前記複数のビジュアルディスプレイエレメント上の第１タッチ入力に基づいて、前記複数のビジュアルディスプレイエレメントのうち、前記一つに関連した位置上にインターフェースエレメントをディスプレイする段階と、
前記複数のビジュアルディスプレイエレメントのうち、前記一つに関連した前記位置上にディスプレイされた前記インターフェースエレメントに対する第２タッチ入力に基づいて、
前記複数のビジュアルディスプレイエレメントのうち、前記一つの表現を変更する段階と、
前記複数のビジュアルディスプレイエレメントのうち、前記一つの前記変更された表現内のイメージの全体部分のうち、一部を表現することにより、前記第１情報を、第２情報に代替する段階と、
前記複数のビジュアルディスプレイエレメントのうち、前記他の一つを第２位置に示す段階と、
を制御する前記インストラクションを行う電子デバイス。
【請求項９】
前記複数のビジュアルディスプレイエレメントのうち、前記一つに関連した前記位置は、前記複数のビジュアルディスプレイエレメントのうち、前記一つのコーナー（ｃｏｒｎｅｒ）部分を含む請求項８に記載の電子デバイス。
【請求項１０】
前記プロセッサは、前記電子デバイスの前記タッチスクリーン上に、前記複数のビジュアルディスプレイエレメントのうち、前記一つの前記変更された表現及び前記複数のビジュアルディスプレイエレメントのうち、前記他の一つを示す段階を制御する前記インストラクションを行う請求項８に記載の電子デバイス。
【請求項１１】
前記イメージは、第１イメージを含み、
前記プロセッサは、前記複数のビジュアルディスプレイエレメントのうち、前記一つの前記変更された表現に関連した他の位置上の第３タッチ入力に基づいて、前記電子デバイスの前記タッチスクリーン上に前記複数のビジュアルディスプレイエレメントが示されている間に、第２イメージの全体部分のうち、少なくとも一部を示すことにより、前記第２情報を、第３情報で代替する段階を制御する前記インストラクションを行う請求項８に記載の電子デバイス。
【請求項１２】
前記第１イメージ及び前記第２イメージは、同じイメージである請求項１１に記載の電子デバイス。
【請求項１３】
前記複数のビジュアルディスプレイエレメントのうち、二つは、互いに異なる二つのアプリケーションにそれぞれ対応する請求項８に記載の電子デバイス。
【請求項１４】
前記プロセッサは、
前記イメージの全体部分から前記イメージの一部を獲得する段階と、
前記獲得された一部を、前記複数のビジュアルディスプレイエレメントのうち、前記一つの前記変更された表現内に示すことにより、前記第１情報を、前記第２情報で代替する段階と、
を制御する前記インストラクションを行う請求項８に記載の電子デバイス。
【請求項１５】
電子デバイスのプロセッサによって実行可能なインストラクションを保存するコンピュータで読み取り可能な記録媒体において、
前記インストラクションは、
複数のビジュアルディスプレイエレメントを前記電子デバイスのタッチスクリーン上に示し、前記複数のビジュアルディスプレイエレメントは、複数のアプリケーションに関連し、前記複数のビジュアルディスプレイエレメントのうち一つは、前記複数のビジュアルディスプレイエレメントのうち、前記一つに関連したアプリケーションを示す第１情報を提供し、前記タッチスクリーン上に示された前記複数のビジュアルディスプレイエレメントの表現は、個別的に変更可能なものである段階と、
前記複数のビジュアルディスプレイエレメントのうち、他の一つが第１位置に示されている間に、前記複数のビジュアルディスプレイエレメントのうち、前記一つの表現を変更させるための前記複数のビジュアルディスプレイエレメント上の第１タッチ入力に基づいて、前記複数のビジュアルディスプレイエレメントのうち、前記一つに関連した位置上にインターフェースエレメントをディスプレイする段階と、
前記複数のビジュアルディスプレイエレメントのうち、前記一つに関連した前記位置上にディスプレイされた前記インターフェースエレメントに対する第２タッチ入力に基づいて、前記複数のビジュアルディスプレイエレメントのうち、前記一つの表現を変更する段階と、
前記複数のビジュアルディスプレイエレメントのうち、前記一つの前記変更された表現内のイメージの全体部分のうち、一部を表現することにより、前記第１情報を、第２情報で代替する段階と、
前記複数のビジュアルディスプレイエレメントのうち、前記他の一つを第２位置に示す段階と、
を、前記プロセッサをして制御させる記録媒体。
【請求項１６】
前記複数のビジュアルディスプレイエレメントのうち、前記一つに関連した前記位置は、前記複数のビジュアルディスプレイエレメントのうち、前記一つのコーナー（ｃｏｒｎｅｒ）部分を含む請求項１５に記載の記録媒体。
【請求項１７】
前記インストラクションは、前記電子デバイスの前記タッチスクリーン上に、前記複数のビジュアルディスプレイエレメントのうち、前記一つの前記変更された表現及び前記複数のビジュアルディスプレイエレメントのうち、前記他の一つを示す段階を、前記電子デバイスをして制御させる請求項１５に記載の記録媒体。
【請求項１８】
前記イメージは、第１イメージを含み、
前記インストラクションは、前記複数のビジュアルディスプレイエレメントのうち、前記一つの前記変更された表現に関連した他の位置上の第３タッチ入力に基づいて、前記電子デバイスの前記タッチスクリーン上に前記複数のビジュアルディスプレイエレメントが示されている間に、第２イメージの全体部分のうち、少なくとも一部を示すことにより、前記第２情報を第３情報で代替する段階を、前記電子デバイスをして制御させる請求項１５に記載の記録媒体。
【請求項１９】
前記第１イメージ及び前記第２イメージは、同じイメージである請求項１８に記載の記録媒体。
【請求項２０】
前記複数のビジュアルディスプレイエレメントのうち、二つは、互いに異なる二つのアプリケーションにそれぞれ対応する請求項１５に記載の記録媒体。
【請求項２１】
前記インストラクションは、
前記イメージの全体部分から前記イメージの一部を獲得する段階と、
前記獲得された一部を、前記複数のビジュアルディスプレイエレメントのうち、前記一つの前記変更された表現内に示すことにより、前記第１情報を、前記第２情報で代替する段階と、を、前記電子デバイスをして制御させる請求項１５に記載の記録媒体。
【請求項２２】
電子デバイス内のユーザインターフェースを提供する方法において、
複数のビジュアルディスプレイエレメントを前記電子デバイスのタッチスクリーン上に示すように制御し、前記複数のビジュアルディスプレイエレメントは、複数のアプリケーションに関連し、前記複数のビジュアルディスプレイエレメントのうち一つは、前記複数のビジュアルディスプレイエレメントのうち、前記一つに関連したアプリケーションを示す第１情報を提供し、前記タッチスクリーン上に示された前記複数のビジュアルディスプレイエレメントの表現は、個別的に変更可能なものである段階と、
前記複数のビジュアルディスプレイエレメントのうち、他の一つが第１位置に示されている間に、前記複数のビジュアルディスプレイエレメントのうち、前記一つの表現を変更させるための前記複数のビジュアルディスプレイエレメント上の第１タッチ入力に基づいて、前記複数のビジュアルディスプレイエレメントのうち、前記一つに関連した位置上にインターフェースエレメントをディスプレイするように制御する段階と、
前記複数のビジュアルディスプレイエレメントのうち、前記一つに関連した前記位置上にディスプレイされた前記インターフェースエレメントに対する第２タッチ入力に基づいて、前記複数のビジュアルディスプレイエレメントのうち、前記一つの表現を変更するように制御する段階と、
前記複数のビジュアルディスプレイエレメントのうち、前記一つの前記変更された表現内のイメージの全体部分のうち、一部を表現することにより、前記第１情報を第２情報で代替するように制御する段階と、
前記複数のビジュアルディスプレイエレメントのうち、前記他の一つを第２位置に示すように制御する段階と、を含む方法。
【請求項２３】
前記複数のビジュアルディスプレイエレメントのうち、前記一つに関連した前記位置は、前記複数のビジュアルディスプレイエレメントのうち、前記一つのコーナー（ｃｏｒｎｅｒ）部分を含む請求項２２に記載の方法。
【請求項２４】
前記電子デバイスの前記タッチスクリーン上に、前記複数のビジュアルディスプレイエレメントのうち、前記一つの前記変更された表現及び前記複数のビジュアルディスプレイエレメントのうち、前記他の一つを示すように制御する段階と、をさらに含む請求項２２に記載の方法。
【請求項２５】
前記イメージは、第１イメージを含み、
前記方法は、前記複数のビジュアルディスプレイエレメントのうち、前記一つの前記変更された表現に関連した他の位置上の第３タッチ入力に基づいて、前記電子デバイスの前記タッチスクリーン上に前記複数のビジュアルディスプレイエレメントが示されている間に、第２イメージの全体部分のうち、少なくとも一部を示すことにより、前記第２情報を、第３情報で代替するように制御する段階と、をさらに含む請求項２２に記載の方法。
【請求項２６】
前記第１イメージ及び前記第２イメージは、同じイメージである請求項２５に記載の方法。
【請求項２７】
前記複数のビジュアルディスプレイエレメントのうち、二つは、互いに異なる二つのアプリケーションにそれぞれ対応する請求項２２に記載の方法。
【請求項２８】
前記第１情報を、前記第２情報で代替するように制御する段階は、
前記イメージの全体部分から前記イメージの一部を獲得するように制御する段階と、
前記獲得された一部を前記複数のビジュアルディスプレイエレメントのうち、前記一つの前記変更された表現内に示すことにより、前記第１情報を、前記第２情報で代替するように制御する段階と、を含む請求項２２に記載の方法。
【発明の詳細な説明】
【技術分野】
【０００１】
本発明は、ユーザ入力に基づいてディスプレイ上に表示されたオブジェクトを実行する方法及びそのデバイスに関する。
【背景技術】
【０００２】
デバイスは、移動可能いかんによって、移動型デバイス（mobile/portable device）及び固定型デバイス（stationary device）に分けられる。また、移動型デバイスは、ユーザの直接携帯可能いかんによって、携帯（型）デバイス（handheld device）及び据え置き型デバイス（vehicle mount device）に分けられる。
【０００３】
このようなデバイスは、機能が多様化されるにつれて、例えば、写真や動画の撮影、音楽や動画ファイルの再生、ゲーム、放送の受信などの複合的な機能を備えたマルチメディア機器（multimedia player）形態で具現されている。このようなデバイスの機能を支援するために、デバイスの構造的な部分及びソフトウェア的な部分を改良することが考慮される。
【０００４】
最近、デバイスのシンプルなデザインを具現し、便利なユーザ・インターフェースを提供するために、タッチスクリーン、タッチパッドなどのタッチ入力に係わる技術がデバイスに適用されている。これによって、タッチ入力技術を利用して、さらに便利なユーザ・インターフェース環境を具現するための多様な試みがなされている。
【発明の概要】
【発明が解決しようとする課題】
【０００５】
本発明の一実施形態は、ディスプレイ上のオブジェクトに係わるユーザ入力に基づいて、オブジェクトと係わる複数の実行モードのうち一つによって、オブジェクトについての動作を実行させることができる、ディスプレイ上のオブジェクトを実行する方法及びそのデバイスを提供することができる。
【０００６】
また、本発明の一実施形態は、ディスプレイ上のオブジェクトを拡大させるユーザ入力に基づいて、オブジェクトに対応するアプリケーションを実行することができる、ディスプレイ上のオブジェクトを実行する方法及びそのデバイスを提供することができる。
【０００７】
また、本発明の一実施形態は、ディスプレイ上のオブジェクトと係わるお知らせメッセージを効果的に表示することができる方法及びそのデバイスを提供することができる。
【課題を解決するための手段】
【０００８】
前述の技術的課題を達成するための技術的手段として、本発明の第１側面は、ディスプレイ上に表示されたオブジェクトに係わるユーザ入力を受信する段階と、前記ユーザ入力に基づいて、前記オブジェクトに係わる複数の実行モードのうち一つを決定する段階と、前記決定された実行モードに基づいて、前記オブジェクトに対応するアプリケーションを実行する段階と、を含む、オブジェクト実行方法を提供することができる。
【０００９】
また、前記複数の実行モードは、前記ディスプレイ上に表示されたオブジェクトの大きさを漸次に拡大して表示し、前記オブジェクトに対応するアプリケーションを実行するモードを含んでもよい。
【００１０】
また、前記方法は、前記拡大されたオブジェクトの領域に、前記オブジェクトに対応するアプリケーションの実行結果を表示する段階をさらに含んでもよい。
【００１１】
また、前記方法は、前記拡大されたオブジェクトの大きさを確認する段階をさらに含み、前記アプリケーション実行結果を表示する段階は、前記確認された大きさが第１臨界値以上である場合、前記拡大されたオブジェクトの領域に、前記オブジェクトに対応するアプリケーションの実行結果を表示することができる。
【００１２】
また、前記アプリケーションの実行結果を表示する段階は、前記オブジェクトが拡大されるにつれて、前記アプリケーション実行結果を漸次拡大させて表示することができる。
【００１３】
また、前記アプリケーション実行結果を表示する段階は、前記アプリケーション実行画面の一部を表示し、前記オブジェクトの領域が拡大されるにつれて、前記アプリケーションの実行画面の残り部分を表示することができる。
【００１４】
また、前記アプリケーション実行結果を表示する段階は、前記確認された大きさが、前記第１臨界値以上であって第２臨界値以下である場合、前記アプリケーションの実行結果についての要約情報を表示することができる。
【００１５】
また、前記アプリケーション実行結果を表示する段階は、前記確認された大きさが、前記第２臨界値以上である場合、前記アプリケーションの実行結果についての詳細情報を表示することができる。
【００１６】
また、前記方法は、前記アプリケーションの実行結果が表示されることにより、既設定のパターンの振動を発生させる段階をさらに含んでもよい。
【００１７】
また、前記アプリケーションは、動画を再生するアプリケーションであり、前記アプリケーション実行結果を表示する段階は、前記確認された大きさが第１臨界値以上である場合、前記拡大されたオブジェクトの領域に、前記動画のプレビュー映像を表示することができる。
【００１８】
また、前記アプリケーション実行結果を表示する段階は、前記確認された大きさが、前記第１臨界値以上であって第２臨界値以下である場合、前記動画の再生映像を、前記拡大されたオブジェクトの領域に表示することができる。
【００１９】
また、前記アプリケーションは、カレンダー（calendar）アプリケーションであり、前記アプリケーション実行結果を表示する段階は、前記確認された大きさによって、日単位、週単位及び月単位のうち少なくとも１つのカレンダーイメージを、前記拡大されたオブジェクトの領域に変更して表示することができる。
【００２０】
また、前記アプリケーションは、音楽を再生するアプリケーションであり、前記方法は、前記確認された大きさが、前記第１臨界値以上である場合、前記音楽のプレリスニング・サウンドを出力する段階をさらに含んでもよい。
【００２１】
また、前記アプリケーション実行結果を表示する段階は、前記確認された大きさが、前記第１臨界値以上である場合、前記音楽についての要約情報を、前記拡大されたオブジェクトの領域に表示することができる。
【００２２】
また、前記方法は、前記確認された大きさが、前記第１臨界値以上であって第２臨界値以下である場合、前記音楽の全体サウンドを出力する段階をさらに含んでもよい。
【００２３】
また、前記アプリケーション実行結果を表示する段階は、前記確認された大きさが、前記第１臨界値以上であって第２臨界値以下である場合、前記音楽の再生を制御するための制御画面を、前記拡大されたオブジェクトの領域に表示することができる。
【００２４】
また、前記ユーザ入力は、前記オブジェクトをタッチしてドラッグする入力であってもよい。
【００２５】
また、前記方法は、前記ドラッグ以後に既設定の時間以内、前記タッチがドロップされることにより、前記拡大されたオブジェクトを、前記タッチ以前の大きさに縮小して表示する段階をさらに含んでもよい。
【００２６】
また、前記方法は、前記ドラッグ以後に、前記タッチが、前記オブジェクトが拡大される以前の方向にフリックされることにより、前記拡大されたオブジェクトを、前記タッチ以前の大きさに縮小して表示する段階をさらに含んでもよい。
【００２７】
また、前記方法は、前記ドラッグ以後、既設定の時間以上、前記タッチがホールドされることにより、前記拡大されたオブジェクトを固定させて表示する段階をさらに含んでもよい。
【００２８】
また、前記方法は、前記タッチによって、前記ディスプレイに加えられる圧力を感知する段階と、前記ドラッグ以後、前記タッチによって、既設定の強度以上の圧力が前記ディスプレイに加えられることにより、前記拡大されたオブジェクトを固定させて表示する段階をさらに含んでもよい。
【００２９】
また、本発明の第２側面は、ディスプレイ上に表示されたオブジェクトに係わるユーザ入力を受信する段階と、前記ユーザ入力が、前記オブジェクトを拡大させるための入力であるか否かを判断する段階と、前記判断に基づいて、前記オブジェクトを漸次拡大させて表示する段階と、前記オブジェクトが拡大されるにつれて、前記オブジェクトに対応するアプリケーションを実行する段階と、を含むアプリケーション実行方法を提供することができる。
【００３０】
また、前記方法は、前記拡大されたオブジェクトの領域に、前記オブジェクトに対応するアプリケーションの実行結果を表示する段階をさらに含んでもよい。
【００３１】
また、前記方法は、前記拡大されたオブジェクトの大きさを確認する段階をさらに含み、前記アプリケーション実行結果を表示する段階は、前記確認された大きさが第１臨界値以上である場合、前記拡大されたオブジェクトの領域に、前記オブジェクトに対応するアプリケーションの実行結果を表示することができる。
【００３２】
また、前記アプリケーションの実行結果を表示する段階は、前記オブジェクトが拡大されるにつれて、前記アプリケーション実行結果を漸次拡大させて表示することができる。
【００３３】
また、前記アプリケーション実行結果を表示する段階は、前記アプリケーション実行画面の一部を表示し、前記オブジェクトの領域が拡大されるにつれて、前記アプリケーションの実行画面の残り部分を表示することができる。
【００３４】
また、前記アプリケーション実行結果を表示する段階は、前記確認された大きさが、前記第１臨界値以上であって第２臨界値以下である場合、前記アプリケーションの実行結果についての要約情報を表示することができる。
【００３５】
また、前記アプリケーション実行結果を表示する段階は、前記確認された大きさが、前記第２臨界値以上である場合、前記アプリケーションの実行結果についての詳細情報を表示することができる。
【００３６】
また、前記方法は、前記アプリケーションの実行結果が表示されることにより、既設定のパターンの振動を発生させる段階をさらに含んでもよい。
また、前記アプリケーションは、動画を再生するアプリケーションであり、前記アプリケーション実行結果を表示する段階は、前記確認された大きさが第１臨界値以上である場合、前記拡大されたオブジェクトの領域に、前記動画のプレビュー映像を表示することができる。
【００３７】
また、前記アプリケーション実行結果を表示する段階は、前記確認された大きさが、前記第１臨界値以上であって第２臨界値以下である場合、前記動画の再生映像を、前記拡大されたオブジェクトの領域に表示することができる。
【００３８】
また、前記アプリケーションは、カレンダー・アプリケーションであり、前記アプリケーション実行結果を表示する段階は、前記確認された大きさによって、日単位、週単位及び月単位のうち少なくとも１つのカレンダーイメージを、前記拡大されたオブジェクトの領域に変更して表示することができる。
【００３９】
また、前記アプリケーションは、音楽を再生するアプリケーションであり、前記方法は、前記確認された大きさが、前記第１臨界値以上である場合、前記音楽のプレリスニング・サウンドを出力する段階をさらに含んでもよい。
【００４０】
また、前記アプリケーション実行結果を表示する段階は、前記確認された大きさが、前記第１臨界値以上である場合、前記音楽についての要約情報を、前記拡大されたオブジェクトの領域に表示することができる。
【００４１】
また、前記方法は、前記確認された大きさが、前記第１臨界値以上であって第２臨界値以下である場合、前記音楽の再生サウンドを出力する段階をさらに含んでもよい。
【００４２】
また、前記方法は、前記アプリケーション実行結果を表示する段階は、前記確認された大きさが、前記第１臨界値以上であって第２臨界値以下である場合、前記音楽の再生を制御するための制御画面を、前記拡大されたオブジェクトの領域に表示することができる。
【００４３】
また、前記ユーザ入力は、前記オブジェクトをタッチしてドラッグする入力であってもよい。
【００４４】
また、前記方法は、前記ドラッグ以後に既設定の時間以内、前記タッチがドロップされることにより、前記拡大されたオブジェクトを、前記タッチ以前の大きさに縮小して表示する段階をさらに含んでもよい。
【００４５】
また、前記方法は、前記ドラッグ以後に、前記タッチが、前記オブジェクトが拡大される以前の方向にフリックされることにより、前記拡大されたオブジェクトを、前記タッチ以前の大きさに縮小して表示する段階をさらに含んでもよい。
【００４６】
また、前記方法は、前記ドラッグ以後、既設定の時間以上、前記タッチがホールドされることにより、前記拡大されたオブジェクトを固定させて表示する段階をさらに含んでもよい。
【００４７】
また、前記方法は、前記タッチによって、前記ディスプレイに加えられる圧力を感知する段階と、前記ドラッグ以後、前記タッチによって、既設定の強度以上の圧力が前記ディスプレイに加えられることにより、前記拡大されたオブジェクトを固定させて表示する段階と、をさらに含んでもよい。
【００４８】
また、本発明の第３側面は、少なくとも１つのプログラムが保存されるメモリと、前記少なくとも１つのプログラムを実行することにより、ディスプレイ上のオブジェクトを実行するプロセッサと、を含み、前記少なくとも１つのプログラムは、ディスプレイ上に表示されたオブジェクトに係わるユーザ入力を受信する段階と、前記ユーザ入力に基づいて、前記オブジェクトに係わる複数の実行モードのうち一つを決定する段階と、前記決定された実行モードに基づいて、前記オブジェクトに対応するアプリケーションを実行する段階と、を実行する命令語を含むことを特徴とする携帯端末装置を提供することができる。
【００４９】
また、本発明の第４側面は、少なくとも１つのプログラムが保存されるメモリと、前記少なくとも１つのプログラムを実行することにより、ディスプレイ上のオブジェクトを実行するプロセッサと、を含み、前記少なくとも１つのプログラムは、ディスプレイ上に表示されたオブジェクトに係わるユーザ入力を受信する段階と、前記ユーザ入力が、前記オブジェクトを拡大させるための入力であるか否かを判断する段階と、前記判断に基づいて、前記オブジェクトを漸次拡大させて表示する段階と、前記オブジェクトが拡大されるにつれて、前記オブジェクトに対応するアプリケーションを実行する段階と、を実行する命令語を含むことを特徴とする携帯端末装置を提供することができる。
【００５０】
また、本発明の第５側面は、ディスプレイ上に表示されたオブジェクトに係わるユーザ入力を受信する段階と、前記ユーザ入力が受信されることにより、前記オブジェクトの周辺に、前記オブジェクトに係わるメッセージ表示窓を表示する段階と、前記メッセージ表示窓に、前記オブジェクトに係わるお知らせメッセージを表示する段階と、を含む、オブジェクトに係わるお知らせメッセージを表示する方法を提供することができる。
【００５１】
また、前記ユーザ入力を受信する段階は、前記オブジェクトをタッチし、既設定の方向にドラッグするユーザ入力を受信することができる。
【００５２】
また、前記ユーザ入力が受信されることにより、前記オブジェクトが表示された領域のうち一部分にのみ、前記オブジェクトのイメージの一部分が表示される。
【００５３】
また、前記メッセージ表示窓は、スピーチバブル状に表示され、前記メッセージ表示窓の一部分は、前記オブジェクトの一部分上にオーバーラップされる。
【００５４】
また、前記メッセージ表示窓は、前記オブジェクトの下部にスライディングされて表示される。
【００５５】
また、前記メッセージ表示窓は、前記オブジェクトの下部に断続的に拡張されて表示される。
【００５６】
また、前記お知らせメッセージは、前記オブジェクトに係わるプッシュ・メッセージであってもよい。
【図面の簡単な説明】
【００５７】
【図１】本発明の一実施形態によるオブジェクト実行方法によって、デバイスのディスプレイ上でオブジェクトが実行される一例を図示した図面である。
【図２】本発明の一実施形態によるオブジェクト実行方法のフローチャートである。
【図３】本発明の一実施形態による第２実行モードによるオブジェクトの実行結果を表示する方法のフローチャートである。
【図４】本発明の一実施形態による、オブジェクトが拡大されるにつれて、オブジェクトに対応するアプリケーションを実行し、アプリケーションの実行画面を表示する方法の詳細フローチャートである。
【図５】本発明の一実施形態による、オブジェクトが拡大されるにつれて、オブジェクトに対応するアプリケーションを実行し、アプリケーションの実行結果についての要約情報及び詳細情報を表示する方法の詳細フローチャートである。
【図６】本発明の一実施形態による、オブジェクトに対応する動画アプリケーションを実行し、実行結果を表示する方法の詳細フローチャートである。
【図７】本発明の一実施形態による、オブジェクトに対応するカレンダー・アプリケーションを実行し、実行結果を表示する方法の詳細フローチャートである。
【図８】本発明の一実施形態による、オブジェクトに対応する音楽再生アプリケーションを実行し、実行結果を出力する方法の詳細フローチャートである。
【図９】本発明の一実施形態による、オブジェクトが拡大されるにつれて、デバイスがサーバから、オブジェクトに係わる付加情報及びオブジェクトについてのコンテンツを受信して表示する方法を図示した図面である。
【図１０】本発明の一実施形態による、オブジェクトに対応するアプリケーションを実行させるユーザ入力の一例を図示した図面である。
【図１１】本発明の一実施形態による、拡大されたオブジェクトが縮小される一例を図示した図面である。
【図１２】本発明の一実施形態による、オブジェクトが固定されて表示される一例を図示した図面である。
【図１３】本発明の一実施形態による、オブジェクトが段階的に拡大されるにつれて、オブジェクトに対応するアプリケーションの実行結果が画面に表示される一例を図示した図面である。
【図１４】本発明の他の実施形態による、オブジェクトが段階的に拡大されるにつれて、オブジェクトに対応するアプリケーションの実行画面の一部または全部が画面に表示される一例を図示した図面である。
【図１５】本発明の一実施形態による、オブジェクトに対応するアプリケーションが、カレンダー・アプリケーションである場合、オブジェクトが拡大されるにつれて、カレンダーのイメージが段階的に変換されて表示される一例を図示した図面である。
【図１６】本発明の一実施形態による、オブジェクトに対応するアプリケーションが動画アプリケーションである場合、オブジェクトが拡大されるにつれて、動画のプレビュー映像及び動画の再生映像が表示される一例を図示した図面である。
【図１７】本発明の一実施形態による、オブジェクトに対応するアプリケーションが音楽再生アプリケーションである場合、オブジェクトが拡大されるにつれて、アプリケーションの実行結果が段階的に変換されて表示される一例を図示した図面である。
【図１８】本発明の一実施形態による、オブジェクトに対応するアプリケーションがインターネット・ブラウザ実行アプリケーションである場合、オブジェクトが拡大されるにつれて、アプリケーションの実行結果が段階的に変換されて表示される一例を図示した図面である。
【図１９】本発明の一実施形態による、オブジェクトが拡大されるにつれて、ディスプレイ上のオブジェクト中で、拡大されたオブジェクト以外の他のオブジェクトの位置及び配列が調節される一例を図示した図面である。
【図２０】本発明の一実施形態による、オブジェクトが拡大されるにつれて、拡大されたオブジェクトの透明度が調節されて表示される一例を図示した図面である。
【図２１】本発明の一実施形態による、拡大されたオブジェクトに含まれたオブジェクトが、ユーザ入力に基づいて、拡大されて表示される一例を図示した図面である。
【図２２】本発明の一実施形態によるメッセージお知らせ窓が拡大されるにつれて、メッセージについての情報が表示される一例を図示した図面である。
【図２３】本発明の一実施形態による、デバイスの画面上に表示された複数のウィジェット窓のうち一部が拡大されて表示される一例を図示した図面である。
【図２４】本発明の一実施形態による、デバイスの画面上で、複数の拡大されたオブジェクトの領域が固定された一例を図示した図面である。
【図２５】本発明の一実施形態による、音楽ファイルアイコンに拡大されるにつれて、デバイスが音楽ファイルをサーバから受信し、拡大された音楽ファイルアイコンの領域に、音楽ファイルについての情報が表示される一例を図示した図面である。
【図２６】本発明の一実施形態による、デバイスが動画ファイルを再生することができない場合、拡大された動画ファイルのアイコンの領域に、動画ファイルについての情報が表示される一例を図示した図面である。
【図２７】本発明の一実施形態による、オブジェクトに係わるユーザ入力が受信されることにより、スピーチバブル状のメッセージ表示窓を介して、オブジェクトに係わるお知らせメッセージが表示される一例を図示した図面である。
【図２８】本発明の一実施形態による、オブジェクトに係わるユーザ入力に基づいて、オブジェクトの下部に表示されるメッセージ表示窓を介して、オブジェクトに係わるお知らせメッセージが表示される一例を図示した図面である。
【図２９】本発明の一実施形態による、ディスプレイ上のオブジェクトを実行するデバイスの構造を示した図面である。
【発明を実施するための形態】
【００５８】
以下、添付した図面を参照しつつ、本発明が属する技術分野で当業者が容易に実施することができるように、本発明の実施形態について詳細に説明する。しかし、本発明は、さまざまな異なる形態に具現され、ここで説明する実施形態に限定されるものではない。そして、図面で、本発明について明確に説明するために、説明と関連性のない部分は、省略し、明細書全体を通じて、類似した部分については、類似した図面符号を付した。
【００５９】
明細書全体で、ある部分が、他の部分と「連結」されているとするとき、それは、「直接的に連結」されている場合だけではなく、その中間に、他の素子を間に置いて「電気的に連結」されている場合も含む。また、ある部分がある構成要素を「含む」とするとき、それは、特別に制限する記載がない限り、他の構成要素を除外するものではなく、他の構成要素をさらに含んでもよいということを意味する。
【００６０】
また、本明細書で、デバイスは、スマトーホン、携帯電話、ＰＤＡ（personal digital assistant）、ラップトップ、メディアプレイヤ、ＧＰＳ（global positioning system）装置、及びその他のモバイルまたは非モバイルのコンピュータ装置でもあるが、それらに制限されるものではない。また、デバイスは、電子黒板、タッチテーブルのように、タッチ入力を受信することができる多様な装置を含んでもよい。
【００６１】
また、本明細書で、オブジェクトは、ユーザ入力によって選択される対象を意味する。オブジェクトは、イメージ、テキスト及び動画を含み、例えば、アイコン、インデックス項目、リンク情報、コンテンツの再生画面などを含む。
【００６２】
また、本明細書で、タップ（tap）は、ユーザが、指やタッチツール（stylus）を利用して、画面を非常に早くタッチする動作を示す。すなわち、指やタッチツールが画面に触れる時点であるタッチイン時点と、指やタッチツールが画面から離れる時点であるタッチアウト時点との時間差が臨界時間以下と非常に短い場合を意味する。
【００６３】
また、タッチ＆ホールド（touch & hold）は、ユーザが指やタッチツール（stylus）を利用して画面をタッチした後、臨界時間以上タッチ入力を維持する動作を示す。すなわち、タッチイン時点とタッチアウト時点との時間差が臨界時間以上である場合を意味する。タッチ入力がタップであるか、あるいはタッチ＆ホールドであるかをユーザに認識させるために、タッチ入力が臨界時間以上維持されれば、視覚的または聴覚的にフィードバック信号が提供されもする。
【００６４】
また、ダブルタップ（double tap）は、ユーザが指やタッチツール（stylus）を利用して、画面を早く２回タッチする動作を意味する。
また、ドラッグは、ユーザが指やタッチツールを画面にタッチした後、タッチを維持した状態で指やタッチツールを画面内の他の位置に移動させる動作を示す。
【００６５】
フリック（flick）は、ユーザが指やタッチツールを利用して、非常に早くドラッグする動作を示す。指やタッチツールの移動速度が臨界速度以上であるか否かということに基づいて、ドラッグとフリックとが区別される。
【００６６】
ピンチ（pinch）は、ユーザが複数本の指やタッチツールを画面にタッチした後、指またはタッチツールの間の間隔を広げたり狭める動作を示す。ユーザが２本以上の指を画面に接触させた後、それらの間の間隔を広げる動作をアンピンチング（unpinching）といい、それらの間の間隔を狭める動作をピンチング（pinching）という。ピンチを活用した一例として、アンピンチング入力によって、ページがズームイン（zoom in）され、ピンチング入力によって、ページがズームアウト（zoom out）される。
【００６７】
また、本明細書で、実行モードは、例えば、第１実行モード、第２実行モード及び第３実行モードを含んでもよい。
【００６８】
第１実行モードは、ディスプレイ上のオブジェクトを管理するための動作を実行するモードであってもよい。また、第１実行モードでは、ディスプレイ上のオブジェクトの選択、コピー、カット及び移動のうち、少なくとも１つの動作を実行することができる選択リストが表示され、ユーザは、選択リストに表示された動作のうち一つを選択することにより、ディスプレイ上のオブジェクトを管理することができる。
【００６９】
また、第２実行モードは、オブジェクトを拡大させながら、オブジェクトに対応するアプリケーションを実行するための実行モードであってもよい。第２実行モードでは、オブジェクトに対応するアプリケーションを実行し、オブジェクトが拡大されるにつれて、拡大されたオブジェクトの領域に、アプリケーションの実行結果を漸次拡大させて表示することができる。
【００７０】
また、第３実行モードは、オブジェクトに対応するアプリケーションについての実行結果を、別途の窓に表示するモードであってもよい。第３実行モードでは、オブジェクトに対応するアプリケーションの実行結果が、別途のポップアップ窓にディスプレイされる。
【００７１】
以下、添付された図面を参照しつつ、本発明について詳細に説明する。
【００７２】
図１は、本発明の一実施形態によるオブジェクト実行方法によって、デバイスのディスプレイ上でオブジェクトが実行される一例を図示した図面である。
【００７３】
図１に図示されたように、本発明の一実施形態によるデバイスの画面には、所定のオブジェクトが表示され、ユーザのタッチによって、オブジェクトが選択される。オブジェクトは、ユーザ入力によって選択される対象を意味する。オブジェクトは、イメージ、テキスト及び動画を含み、例えば、アイコン、インデックス項目、リンク情報、コンテンツの再生画面などを含む。例えば、デバイスの画面に表示されたオブジェクトは、動画ファイルのアイコン、音楽ファイルのアイコン、動画再生アプリケーションのアイコン、音楽再生アプリケーションのアイコン、天気情報提供ウィジェット及びカレンダーウィジェットを含んでもよいが、それらに制限されるものではない。
【００７４】
また、オブジェクトを選択するユーザ入力によって、既設定の複数の実行モードのうち一つが決定され、決定された実行モードによって、オブジェクトに対応するデバイスの動作が実行される。また、ユーザ入力によって、オブジェクトが拡大されるにつれて、拡大されたオブジェクトの領域には、オブジェクトに対応するアプリケーションの実行結果が漸次拡大されて表示される。
【００７５】
図２は、本発明の一実施形態によるオブジェクト実行方法のフローチャートである。
段階Ｓ２００でデバイスは、オブジェクトに係わるユーザ入力を受信する。段階Ｓ２００でデバイスは、タッチスクリーンを介してユーザ入力を受信することができる。ここでのタッチ入力は、タッチ、ホールド、タップ、ドラッグ、フリック、ピンチング及びアンピンチングのうち、少なくとも１つのジェスチャにもよる。ユーザ入力は、タッチを介した入力に制限されるものではなく、音声入力、デバイスを動かすジェスチャを含んでもよい。
【００７６】
段階Ｓ２１０でデバイスは、ユーザ入力に基づいて、複数の実行モードのうち一つを決定する。デバイスは、オブジェクトに係わるユーザ入力によって、オブジェクトに係わって、異なる動作を遂行する複数の実行モードが設定される。
【００７７】
複数の実行モードは、第１実行モード、第２実行モード及び第３実行モードのうち少なくとも一つを含んでもよいが、それらに制限されるものではない。
【００７８】
第１実行モードは、ディスプレイ上のオブジェクトを管理するための動作を実行するモードである。例えば、第１実行モードでは、ディスプレイ上のオブジェクトの選択、コピー、カット及び移動のうち、少なくとも１つの動作が実行される。
また、第２実行モードは、オブジェクトを拡大させてオブジェクトに対応するアプリケーションを実行するための実行モードである。例えば、第２実行モードでは、オブジェクトに対応するアプリケーションを実行し、オブジェクトが拡大されるにつれて、拡大されたオブジェクトの領域に、アプリケーションの実行結果を漸次拡大させて表示することができる。
【００７９】
また、第３実行モードは、オブジェクトに対応するアプリケーションについての実行結果を、別途の窓に表示するモードである。例えば、第３実行モードでは、オブジェクトに対応するアプリケーションの実行結果が、別途のポップアップ窓にディスプレイされる。
【００８０】
また、ユーザ入力別に実行モードがマッチングされる。例えば、オブジェクトを既設定の時間以上タッチするユーザ入力は、第１実行モードにマッチングされる。
【００８１】
また、例えば、オブジェクトを既設定の時間以内タッチしてドラッグするユーザ入力は、第２実行モードにマッチングされる。その場合、オブジェクトのワク部分がタッチされてドラッグされることにより、第２実行モードによって、オブジェクトに対応するアプリケーションが実行される。また、例えば、オブジェクトをピンチングするユーザ入力が、第２実行モードにマッチングされもする。また、例えば、オブジェクトを、既設定の時間以内既設定の回数タッチするユーザ入力は、第３実行モードにマッチングされる。しかし、それらに制限されるものではない。
【００８２】
段階Ｓ２２０でデバイスは、決定された実行モードに基づいて、オブジェクトに対応するアプリケーションを実行する。段階Ｓ２２０でデバイスは、ユーザ入力にマッチングされる実行モードによって、オブジェクトに対応する動作を実行することができる。例えば、オブジェクトが天気アプリケーションの実行アイコンであるならば、デバイスは、天気アプリケーションを実行することができる。また、例えば、オブジェクトが所定のサイトに接続するためのリンク項目である場合、デバイスは、インターネット・ブラウザを実行させることができる。
【００８３】
段階Ｓ２３０でデバイスは、ユーザ入力に基づいて、オブジェクトに対応する動作の実行を終了する。段階Ｓ２３０でデバイスは、オブジェクトがタッチされてドラッグされた後、既設定の時間以内タッチがドロップされることにより、オブジェクトに対応する動作の実行を終了することができる。また、デバイスは、オブジェクトがタッチされてドラッグされた後、タッチが維持された状態で、オブジェクトが拡大される以前の方向へのフリック入力（または、ドラッグ入力）が受信されることにより、オブジェクトに対応する動作の実行を終了することができる。また、デバイスは、動作を終了しながら、拡大されたオブジェクトを、タッチ以前の大きさに縮小させて表示することができる。
【００８４】
また、拡大されたオブジェクトは、所定のユーザ入力によって縮小される。例えば、ユーザが、拡大されたオブジェクトの領域に表示された窓閉じアイコンを選択すれば、拡大されたオブジェクトが縮小される。また、例えば、ユーザが、拡大されたオブジェクトを既設定の時間以上タッチし、タッチされたオブジェクトを、ドラッグを介して所定の領域（例えば、ゴミ箱アイコンが表示された領域）に移動させてドロップすれば、オブジェクトが原状態に復帰される。また、例えば、ユーザが、拡大されたオブジェクトをアンピンチングすれば、拡大されたオブジェクトが縮小される。また、例えば、拡大されたオブジェクトの頂点を、既設定の時間の間タッチし、対角線方向にドラッグまたはフリックすれば、拡大されたオブジェクトが縮小される。また、例えば、ユーザが拡大されたオブジェクト及び壁紙を共に擦れば、拡大されたオブジェクトが縮小される。
【００８５】
図３は、本発明の一実施形態による第２実行モードによるオブジェクトの実行結果を表示する方法のフローチャートである。
【００８６】
段階Ｓ３００でデバイスは、ユーザ入力によって、オブジェクトを拡大させる。段階Ｓ３００でデバイスは、オブジェクトを既設定の時間以内タッチしてドラッグするユーザ入力に応答し、オブジェクトを拡大させることができる。例えば、オブジェクトのワク部分がタッチされてドラッグされることにより、オブジェクトが拡大される。その場合にデバイスは、タッチされた位置とドラッグされた位置との間の距離に基づいて、オブジェクトをどれほど拡大させるかということを決定することができる。また、例えば、オブジェクトをピンチングするユーザ入力によって、オブジェクトが拡大されもする。
【００８７】
また、デバイスは、２段階のユーザ入力に基づいて、オブジェクトを拡大させることもできる。デバイスは、ユーザ入力に基づいて、オブジェクトの拡大機能を活性化することを決定することができ、オブジェクトの拡大機能が活性化された後、ユーザの入力を受信することにより、オブジェクトを拡大させることもできる。
【００８８】
例えば、デバイスは、オブジェクトがタッチされて所定時間以上ホールドされる場合、オブジェクトの拡大機能を活性化することができる。また、例えば、デバイスは、所定の音声が入力されることにより、オブジェクトの拡大機能を活性化することができる。その場合、オブジェクトの拡大サイズ及び拡大されたオブジェクトに表示される情報があらかじめ決定され、決定された大きさのオブジェクトの領域に、決定された情報が表示される。
【００８９】
また、例えば、デバイスは、オブジェクトがマルチタッチされる場合、オブジェクトの拡大機能を活性化することができる。また、オブジェクトがタッチされ、所定のパターン（例えば、円、ジグザグなど）にドラッグされれば、デバイスは、オブジェクトの拡大機能を活性化することができる。また、デバイスは、オブジェクトに係わるタッチ圧力が、既設定の強度以上である場合、オブジェクトの拡大機能を活性化することもできる。
【００９０】
また、オブジェクトの拡大機能が活性化されることをユーザに知らせるための効果が、ディスプレイに表示される。例えば、オブジェクトの拡大機能が活性化されるとき、オブジェクトの頂点に所定の動作（例えば、オブジェクトの拡大）のためのＵＩ（user interface）が表示される。また、オブジェクトの拡大機能が活性化されるとき、ディスプレイ上のオブジェクトが揺れたり、あるいはオブジェクトの大きさが拡大されることもある。また、オブジェクトの拡大機能が活性化されるとき、オブジェクトが立体的に表示されもする。例えば、オブジェクトのワク厚が厚く表示されたり、あるいはオブジェクトの領域がディスプレイの下端に陥没されたように表示されもする。
【００９１】
また、オブジェクトの拡大機能が活性化されることにより、ユーザ入力に基づいて、大きさを拡大させることができる別途のオブジェクトを生成してディスプレイすることもできる。例えば、第１アイコンをタッチして所定時間以上ホールドする場合、第１アイコンに対応するアプリケーションを実行するための第２アイコンを生成し、ディスプレイすることができる。また、第２アイコンは、オブジェクトの拡大機能が活性化されているアイコンであってもよい。
【００９２】
また、デバイスは、拡大機能が活性化されたオブジェクトに係わるユーザ入力に基づいて、オブジェクトを拡大させることができる。例えば、デバイスは、拡大機能が活性化されたオブジェクトに係わるピンチング入力に基づいて、オブジェクトを拡大させることができる。オブジェクトに、少なくとも１つの指がタッチされてアンピンチングされる場合、オブジェクトが拡大される。また、ディスプレイ上のオブジェクトが位置していない領域をタッチしてアンピンチングするユーザ入力によって、オブジェクトが拡大されもする。
【００９３】
また、例えば、拡大機能が活性化されたオブジェクトをタッチしてドラッグするユーザ入力に基づいて、オブジェクトを拡大させることもできる。また、例えば、拡大機能が活性化されたオブジェクトを複数回タッチするユーザ入力に基づいて、オブジェクトを拡大させることができる。その場合、オブジェクトは、既設定の大きさに拡大されもする。
【００９４】
また、例えば、大きさを拡大させることができる別途のオブジェクトが生成されて表示された場合には、別途に生成されたオブジェクトをタッチすることにより、別途に生成されたオブジェクトの大きさを既設定のサイズに拡大させることもできる。
【００９５】
段階Ｓ３１０でデバイスは、アプリケーションの実行結果を表示する。段階Ｓ３１０でデバイスは、拡大されたオブジェクトの領域に、アプリケーションの実行結果を表示することができる。例えば、デバイスは、オブジェクトを拡大させながら、拡大されたオブジェクトの領域に、オブジェクトに対応するアプリケーションの実行結果をディスプレイすることができる。その場合、アプリケーションの実行結果は、オブジェクトが拡大されるにつれて、漸次拡大されて表示される。また、オブジェクトが拡大されるにつれて、アプリケーションの機能のうち、一部機能だけが実行されもする。
【００９６】
例えば、タッチ＆ドラッグによって、オブジェクトが拡大される場合、ドラッグ入力の受信が始まるとき、アプリケーションの実行結果が表示される。また、ドラッグ入力が受信された後、既設定の距離以上タッチがドラッグされるとき、アプリケーションの実行結果が表示されもする。
【００９７】
また、アプリケーションの実行結果として表示される情報は、デバイスに設置されたアプリケーションから獲得されるが、それらに制限されるものではない。デバイスは、アプリケーションの実行についての情報を別途のサーバから受信し、受信された情報を表示することもできる。その場合にデバイスは、別途のサーバをデバイスに連結し、連結された別途のサーバから、アプリケーションの実行についての情報を受信することができる。また、デバイスは、別途のサーバに、アプリケーションの実行についての情報の要請をプッシュ（push）することもできる。もし、ネットワーキング環境が不安定であり、デバイスがサーバからのデータ受信が遅延される場合には、デバイスは、以前に使用されたアプリケーションの実行画面として、あらかじめキャプチャされた画面をアプリケーションの実行結果として表示することもできる。
【００９８】
また、オブジェクトが拡大されるにつれて、デバイスがサーバから、オブジェクトに係わる付加情報、及びオブジェクトについてのコンテンツを受信して表示する方法については、図９でさらに詳細に説明する。
【００９９】
また、デバイスは、アプリケーションの実行についての情報を、他のデバイス（図示せず）から受信し、受信された情報を表示することもできる。具体的には、デバイスに表示された所定のオブジェクトが拡大されるにつれて、デバイスは、他のデバイス（図示せず）とペアリングされ、オブジェクトの拡大された領域の大きさによって、オブジェクトと係わるコンテンツの一部情報及び詳細情報を段階的に受信することができる。例えば、デバイスの画面上に、他のデバイスのファイルを探索するためのオブジェクトが表示され、オブジェクトが第１臨界値以上拡大されれば、デバイスは、他のデバイス（図示せず）から、他のデバイス（図示せず）に保存されたファイルの要約情報を受信して表示することができる。また、オブジェクトが、第２臨界値以上拡大されれば、デバイスは、デバイス（図示せず）から、他のデバイス（図示せず）に保存されたファイルの詳細情報を受信して表示することができる。
【０１００】
また、デバイスは、拡大されたオブジェクトの領域に、アプリケーションの実行結果と共にオブジェクトを表示することができるが、これに制限されるものではない。
【０１０１】
また、デバイスは、拡大されたオブジェクト領域の大きさによって、アプリケーションの実行結果の一部または全部を、オブジェクトの領域に表示することができる。また、アプリケーションの実行結果を示す画面は、複数に生成され、デバイスは、拡大されたオブジェクト領域の大きさによって、複数の画面がそれぞれ表示される。
【０１０２】
また、アプリケーションの実行結果が表示されることにより、デバイスで既設定のパターンの振動が発生する。また、アプリケーションの実行結果が、オブジェクトの領域に表示されるとき、既設定の時間の間アプリケーションの実行結果が強調されて表示されもする。例えば、アプリケーションの実行結果が表示される場合、オブジェクト領域のワクが、既設定の時間の間、既設定の色相で複数回点滅する。また、例えば、アプリケーションの実行結果が表示される場合、デバイスで、既設定のサウンドが出力される。また、例えば、アプリケーションの実行結果が表示される場合、デバイスで、既設定の香りが発生する。また、例えば、アプリケーションの実行結果が表示される場合、デバイスの表面が変形され、ユーザは手の触覚を介して、デバイスの表面変化を感じる。その場合、デバイスの表面の一部が突出または陥没されるが、それらに制限されるものではない。
【０１０３】
また、デバイスは、ユーザ入力に基づいて、オブジェクトの領域を固定させることができ、固定されたオブジェクトの領域に、オブジェクトに対応する動作の実行結果を表示することができる。例えば、オブジェクトがタッチされてドラッグされた後、既設定の時間以上、前記タッチがホールドされることにより、デバイスは、拡大されたオブジェクトの大きさを固定させ、固定された領域に、オブジェクトに対応する動作の実行結果を表示することができる。また、例えば、デバイスは、オブジェクトがタッチされてドラッグされた後、タッチによって、ディスプレイに加えられる圧力を感知することができ、感知された圧力の大きさが既設定の数値以上である場合、拡大されたオブジェクトの大きさを固定させることもできる。
【０１０４】
一方、オブジェクトが所定のコンテンツファイルを実行するためのアイコンである場合、コンテンツファイルの種類によって、アプリケーションの実行結果に含まれる情報が異なる。
【０１０５】
例えば、コンテンツファイルが写真ファイルである場合、写真イメージ、写真撮影時間、写真撮影位置及び写真イメージの解像度についての情報が写真ファイルに対応するアプリケーションの実行結果に含まれる。
【０１０６】
また、例えば、コンテンツファイルが動画ファイルである 場合、エンコード方式、プレイタイム、動画解像度についての情報が動画ファイルに対応するアプリケーションの実行結果に含まれる。
【０１０７】
また、例えば、コンテンツファイルが音楽ファイルである場合、エンコード方式、プレイタイム、アルバム情報が音楽ファイルに対応するアプリケーションの実行結果に含まれる。
【０１０８】
また、例えば、コンテンツファイルがアプリケーション設置パッケージファイルである場合、設置が可能なプラットホームの種類、アプリケーション情報、アプリケーションに係わるユーザ評価情報がアプリケーション設置パッケージファイルに対応するアプリケーションの実行結果に含まれる。
【０１０９】
また、オブジェクトがフォルダアイコンである場合、フォルダに含まれたファイルのアイコン及びフォルダ情報が、フォルダアイコンに対応するアプリケーションの実行結果に含まれる。
【０１１０】
一方、オブジェクトが拡大されるにつれて、ディスプレイ上のオブジェクト中で、拡大されたオブジェクト以外の他のオブジェクトの位置及び配列が調節される。拡大されたオブジェクト以外の他のオブジェクトは、ディスプレイ上で拡大されたオブジェクトの領域外に配置される。しかし、それらに制限されるものではなく、拡大されたオブジェクトが他のオブジェクトの上にオーバレイされて表示されもする。その場合、オーバレイされたオブジェクトの領域の透明度が調節され、半透明に表示される。また、ディスプレイ画面の大きさ及びディスプレイ上のオブジェクトの個数によって、拡大されたオブジェクトが他のオブジェクトの上にオーバレイされるか、他のオブジェクトが再配置されるかが多様に決定される。
【０１１１】
オブジェクトが拡大されるにつれて、アプリケーションの実行結果が表示される方法については、図１３ないし図１８で例を挙げて説明する。
【０１１２】
図４は、本発明の一実施形態による、オブジェクトが拡大されるにつれて、オブジェクトに対応するアプリケーションを実行し、アプリケーションの実行画面を表示する方法の詳細フローチャートである。
【０１１３】
段階Ｓ４００でデバイスは、オブジェクトに係わるユーザ入力を受信する。段階Ｓ４００でデバイスは、オブジェクトを既設定の時間以内タッチしてドラッグするユーザ入力を受信することができる。また、デバイスは、オブジェクトのワク部分をタッチしてドラッグするユーザ入力を受信することができる。また、デバイスは、オブジェクトをピンチングするユーザ入力を受信することができる。しかし、デバイスが受信するユーザ入力の種類は、それに制限されるものではない。
【０１１４】
段階Ｓ４１０でデバイスは、拡大されたオブジェクトの領域サイズが、第１臨界値以上であるか否かを判断する。段階Ｓ４１０でデバイスは、オブジェクトのワク部分がタッチされてドラッグされることにより、オブジェクトを拡大させることができる。また、デバイスは、タッチされた位置とドラッグされた位置との間の距離に基づいて、拡大されたオブジェクトの領域サイズを獲得することができる。また、段階Ｓ４１０でデバイスは、オブジェクトがピンチングされることにより、オブジェクトを拡大させることができる。また、デバイスは、ピンチングに利用されたタッチ間の距離に基づいて、拡大されたオブジェクトの領域サイズを獲得することができる。
【０１１５】
また、拡大されたオブジェクトの領域サイズは、タッチされた地点及びドラッグが終わった地点の位置に基づいて獲得される。例えば、タッチされた地点及びドラッグが終わった地点を連結する線を対角線にする四角形の面積に基づいて、拡大されたオブジェクトの領域サイズが決定される。また、例えば、タッチされた地点及びドラッグが終わった地点を連結する線を直径とする円の面積に基づいて、拡大されたオブジェクトの領域サイズが決定される。また、例えば、タッチされた地点及びドラッグが終わった地点を連結する線を対角線にする四角形の横長または縦長に基づいて、拡大されたオブジェクトの領域サイズが決定される。
【０１１６】
また、第１臨界値はあらかじめ設定され、デバイスは、獲得されたサイズ値を、第１臨界値と比較することにより、拡大されたオブジェクトの領域サイズが、第１臨界値以上であるか否かを判断することができる。
【０１１７】
段階Ｓ４１０での判断結果、拡大されたオブジェクトの領域サイズが、第１臨界値以上であるならば、段階Ｓ４２０でデバイスは、オブジェクトに対応するアプリケーションを実行する。オブジェクトに対応するアプリケーションは、例えば、天気アプリケーション、電卓アプリケーション、ニュースアプリケーション、証券アプリケーション、カレンダー・アプリケーション、動画再生アプリケーション、音楽再生アプリケーションを含むが、それらに制限されるものではない。また、オブジェクトが拡大されるにつれて、アプリケーションの機能のうち一部機能だけが実行されもする。
【０１１８】
段階Ｓ４３０でデバイスは、拡大されたオブジェクトの領域に、アプリケーションの実行画面の一部を表示する。段階Ｓ４３０でデバイスは、アプリケーションの実行画面の一部分を切り取り、切り取った画面を、拡大されたオブジェクトの領域に表示することができる。また、デバイスは、オブジェクトが拡大されるにつれて、アプリケーションの実行画面のうち、切り取った部分以外の画面を漸次追加して表示することにより、オブジェクトの領域にアプリケーションの実行画面を一部から全部に漸次確張して表示することができる。
【０１１９】
段階Ｓ４４０でデバイスは、拡大されたオブジェクトの領域サイズが、第２臨界値以上であるか否かを判断する。段階Ｓ４４０でデバイスは、オブジェクトのワク部分がタッチされてドラッグされることにより、タッチされた位置とドラッグされた位置との間の距離に基づいて、拡大されたオブジェクトの領域サイズを獲得することができる。また、段階Ｓ４４０でデバイスは、オブジェクトがピンチングされることにより、ピンチングに利用されたタッチ間の距離に基づいて、拡大されたオブジェクトの領域サイズを獲得することができる。
【０１２０】
また、デバイスは、獲得されたサイズ値を第２臨界値と比較することにより、拡大されたオブジェクトの領域サイズが、第２臨界値以上であるか否かを判断することができる。
【０１２１】
また、第２臨界値は、オブジェクトに対応するアプリケーションの種類によって設定される。また、第２臨界値は、アプリケーションの実行結果を示す画面に含まれる構成要素の個数及び大きさに基づいて設定される。しかし、それらに制限されるものではない。
【０１２２】
段階Ｓ４４０での判断結果、拡大されたオブジェクトの領域サイズが、第２臨界値以上であるならば、段階Ｓ４５０でデバイスは、拡大されたオブジェクトの領域に、アプリケーションの実行画面の全体を表示する。また、デバイスは、オブジェクトが拡大されるにつれて、アプリケーションの実行画面を漸次拡大させて表示することができる。
【０１２３】
また、オブジェクトの領域サイズが臨界値を超えるとき、多種のハイライト効果がデバイスで出力される。例えば、オブジェクトをタッチしてドラッグすることにより、オブジェクトの領域サイズが、第１臨界値を超えるとき、デバイスで所定の振動及びサウンドのうち少なくとも一つが出力される。また、オブジェクトをタッチしてドラッグすることにより、オブジェクトの領域サイズが、第１臨界値を超えるとき、例えば、色相及び明るさのうち少なくとも一つが差別化されるようにオブジェクトが表示されたり、あるいはオブジェクトが立体感をもって表示されもする。また、例えば、アプリケーションの実行結果が表示される場合、デバイスから既設定の香りが発せられる。また、例えば、アプリケーションの実行結果が表示される場合、デバイスの表面が変形され、ユーザは、手の触覚を介して、デバイスの表面変化を感じることができる。その場合、デバイスの表面の一部が突出または陥没されるが、それらに制限されるものではない。また、オブジェクトの領域サイズが臨界値を超えるとき、臨界値の種類によって、ハイライト効果がデバイスで差別化されるように出力される。
【０１２４】
オブジェクトに対応するアプリケーションの実行画面の一部または全部が表示される一例については、図１４で詳細に説明する。
【０１２５】
図５は、本発明の一実施形態による、オブジェクトが拡大されるにつれて、オブジェクトに対応するアプリケーションを実行し、アプリケーションの実行結果についての要約情報及び詳細情報を表示する方法の詳細フローチャートである。
【０１２６】
図５の段階Ｓ５００ないし段階Ｓ５５０でオブジェクトは、ユーザ入力に基づいて、継続的または断続的に拡大する。
【０１２７】
段階Ｓ５００でデバイスは、オブジェクトに係わるユーザ入力を受信する。段階Ｓ５００でデバイスは、オブジェクトを既設定の時間以内タッチしてドラッグするユーザ入力を受信することができる。また、デバイスは、オブジェクトのワク部分をタッチしてドラッグするユーザ入力を受信することができる。また、デバイスは、オブジェクトをピンチングするユーザ入力を受信することができる。しかし、デバイスが受信するユーザ入力の種類は、それらに制限されるものではない。
【０１２８】
段階Ｓ５１０でデバイスは、拡大されたオブジェクトの領域サイズが、第１臨界値以上であるか否かを判断する。デバイスは、拡大されたオブジェクトの領域サイズを獲得し、獲得されたサイズ値を第１臨界値と比較することにより、拡大されたオブジェクトの領域サイズが、第１臨界値以上であるか否かを判断することができる。
【０１２９】
段階Ｓ５１０での判断結果、拡大されたオブジェクトの領域サイズが、第１臨界値以上であるならば、段階Ｓ５２０でデバイスは、オブジェクトに対応するアプリケーションを実行する。また、段階Ｓ５１０での判断結果、拡大されたオブジェクトの領域サイズが、第１臨界値以下であるならば、デバイスは、拡大されたオブジェクトの領域サイズが、第１臨界値以上であるか否かをさらに判断する。その場合、オブジェクトは、ユーザ入力に基づいて、継続的または断続的に拡大中であってもよい。
【０１３０】
段階Ｓ５３０でデバイスは、拡大されたオブジェクトの領域に、アプリケーションの実行結果の要約情報を表示する。段階Ｓ５３０でデバイスは、アプリケーションの実行結果についての要約情報を生成し、生成された要約情報を、拡大されたオブジェクトの領域に表示することができる。また、デバイスは、オブジェクトが拡大されるにつれて、表示される要約情報の量を増やすことができる。
【０１３１】
段階Ｓ５４０でデバイスは、拡大されたオブジェクトの領域サイズが、第２臨界値以上であるか否かを判断する。デバイスは、拡大されたオブジェクトの領域サイズを獲得し、獲得されたサイズ値を第２臨界値と比較することにより、拡大されたオブジェクトの領域サイズが、第２臨界値以上であるか否かを判断することができる。
【０１３２】
第２臨界値は、オブジェクトに対応するアプリケーションの種類によって設定される。また、第２臨界値は、アプリケーションの実行結果を示す画面に含まれる構成要素の個数及び大きさに基づいて設定される。しかし、それに制限されるものではない。
【０１３３】
段階Ｓ５４０での判断結果、拡大されたオブジェクトの領域サイズが、第２臨界値以上であるならば、段階Ｓ５５０でデバイスは、拡大されたオブジェクトの領域に、アプリケーションの実行結果の詳細情報を表示する。また、デバイスは、オブジェクトが拡大されるにつれて、アプリケーションの実行結果の詳細情報を含む画面を漸次拡大させて表示することができる。
【０１３４】
また、段階Ｓ５４０での判断結果、拡大されたオブジェクトの領域サイズが、第２臨界値以下であるならば、デバイスは、拡大されたオブジェクトの領域サイズが、第２臨界値以上であるか否かをさらに判断する。その場合、オブジェクトは、ユーザ入力に基づいて、継続的または断続的に拡大中であってもよい。
【０１３５】
オブジェクトに対応するアプリケーションの実行結果に係わる要約情報及び詳細情報が表示される一例については、図１７で詳細に説明する。
【０１３６】
図６は、本発明の一実施形態による、オブジェクトに対応する動画アプリケーションを実行し、実行結果を表示する方法の詳細フローチャートである。
【０１３７】
図６の段階Ｓ６００ないし段階Ｓ６５０でオブジェクトは、ユーザ入力に基づいて、継続的または断続的に拡大してもよい。
【０１３８】
段階Ｓ６００でデバイスは、オブジェクトに係わるユーザ入力を受信する。段階Ｓ６００でデバイスは、オブジェクトを既設定の時間以内タッチしてドラッグするユーザ入力を受信することができる。また、デバイスは、オブジェクトのワク部分をタッチしてドラッグするユーザ入力を受信することができる。また、デバイスは、オブジェクトをピンチングするユーザ入力を受信することができる。しかし、デバイスが受信するユーザ入力の種類は、それらに制限されるものではない。
【０１３９】
段階Ｓ６１０でデバイスは、拡大されたオブジェクトの領域サイズが、第１臨界値以上であるか否かを判断する。デバイスは、拡大されたオブジェクトの領域サイズを獲得し、獲得されたサイズ値を第１臨界値と比較することにより、拡大されたオブジェクトの領域サイズが、第１臨界値以上であるか否かを判断することができる。また、段階Ｓ６１０での判断結果、拡大されたオブジェクトの領域サイズが、第１臨界値以下であるならば、デバイスは、拡大されたオブジェクトの領域サイズが、第１臨界値以上であるか否かをさらに判断する。その場合、オブジェクトは、ユーザ入力に基づいて、継続的または断続的に拡大中であってもよい。
【０１４０】
段階Ｓ６１０での判断結果、拡大されたオブジェクトの領域サイズが、第１臨界値以上であるならば、段階Ｓ６２０でデバイスは、オブジェクトに対応する動画アプリケーションを実行する。
【０１４１】
段階Ｓ６３０でデバイスは、拡大されたオブジェクトの領域に、動画のプレビュー映像を表示する。デバイスは、動画再生アプリケーションを介して再生される動画に係わるプレビュー映像を生成することができる。また、デバイスは、動画再生アプリケーションを介して再生される動画のプレビュー映像を、別途のサーバ（図示せず）から受信することもできる。デバイスがプレビュー映像をサーバ（図示せず）から受信する場合には、デバイスの仕様についての情報、及び再生される動画の識別値をサーバ（図示せず）に提供し、デバイスの性能に適するフォーマットにエンコードされたプレビュー映像を受信することができる。また、デバイスは、オブジェクトが拡大されるにつれて、プレビュー映像の画面サイズを漸次拡大させて表示することができる。
【０１４２】
段階Ｓ６４０でデバイスは、拡大されたオブジェクトの領域サイズが、第２臨界値以上であるか否かを判断する。デバイスは、拡大されたオブジェクトの領域サイズを獲得し、獲得されたサイズ値を第２臨界値と比較することにより、拡大されたオブジェクトの領域サイズが、第２臨界値以上であるか否かを判断することができる。
【０１４３】
第２臨界値は、オブジェクトに対応するアプリケーションの種類によって設定される。また、第２臨界値は、アプリケーションの実行結果を示す画面に含まれる構成要素の個数及び大きさに基づいて設定される。しかし、それに制限されるものではない。
【０１４４】
段階Ｓ６４０での判断結果、拡大されたオブジェクトの領域サイズが、第２臨界値以上であるならば、段階Ｓ６５０でデバイスは、拡大されたオブジェクトの領域に、動画の再生映像を表示する。段階Ｓ６５０でデバイスは、動画の原本ファイルを再生し、原本ファイルの再生映像をディスプレイすることができる。その場合、動画の再生を制御することができるＵＩ（user interface）を共に表示することができる。
【０１４５】
また、段階Ｓ６４０での判断結果、拡大されたオブジェクトの領域サイズが、第２臨界値以下であるならば、デバイスは、拡大されたオブジェクトの領域サイズが、第２臨界値以上であるか否かをさらに判断する。その場合、オブジェクトは、ユーザ入力に基づいて、継続的または断続的に拡大中であってもよい。
【０１４６】
また、デバイスは、オブジェクトが拡大されるにつれて、動画の再生画面を漸次拡大させて表示することができる。
【０１４７】
動画のプレビュー映像及び動画の再生映像が表示される一例については、図１６で詳細に説明する。
【０１４８】
図７は、本発明の一実施形態による、オブジェクトに対応するカレンダー・アプリケーションを実行し、実行結果を表示する方法の詳細フローチャートである。
【０１４９】
図７の段階Ｓ７００ないし段階Ｓ７７０でオブジェクトは、ユーザ入力に基づいて、継続的または断続的に拡大してもよい。
【０１５０】
段階Ｓ７００でデバイスは、オブジェクトに係わるユーザ入力を受信する。段階Ｓ７００でデバイスは、オブジェクトを既設定の時間以内タッチしてドラッグするユーザ入力を受信することができる。また、デバイスは、オブジェクトのワク部分をタッチしてドラッグするユーザ入力を受信することができる。また、デバイスは、オブジェクトをピンチングするユーザ入力を受信することができる。しかし、デバイスが受信するユーザ入力の種類は、それらに制限されるものではない。
【０１５１】
段階Ｓ７１０でデバイスは、拡大されたオブジェクトの領域サイズが、第１臨界値以上であるか否かを判断する。デバイスは、拡大されたオブジェクトの領域サイズを獲得し、獲得されたサイズ値を第１臨界値と比較することにより、拡大されたオブジェクトの領域サイズが、第１臨界値以上であるか否かを判断することができる。
【０１５２】
段階Ｓ７１０での判断結果、拡大されたオブジェクトの領域サイズが、第１臨界値以上であるならば、段階Ｓ７２０でデバイスは、オブジェクトに対応するカレンダー・アプリケーションを実行する。また、段階Ｓ７１０での判断結果、拡大されたオブジェクトの領域サイズが、第１臨界値以下であるならば、デバイスは、拡大されたオブジェクトの領域サイズが、第１臨界値以上であるか否かをさらに判断する。その場合、オブジェクトは、ユーザ入力に基づいて、継続的または断続的に拡大中であってもよい。
【０１５３】
段階Ｓ７３０でデバイスは、拡大されたオブジェクトの領域に、カレンダー・アプリケーションの日単位イメージを表示する。カレンダー・アプリケーションの日単位イメージは、特定日付、及び特定日付に係わるメモを記録することができるフィールドを含んでもよい。また、デバイスは、オブジェクトが拡大されるにつれて、カレンダー・アプリケーションの日単位イメージを漸次拡大させて表示することができる。
【０１５４】
段階Ｓ７４０でデバイスは、拡大されたオブジェクトの領域サイズが、第２臨界値以上であるか否かを判断する。デバイスは、拡大されたオブジェクトの領域サイズを獲得し、獲得されたサイズ値を第２臨界値と比較することにより、拡大されたオブジェクトの領域サイズが、第２臨界値以上であるか否かを判断することができる。
【０１５５】
段階Ｓ７４０での判断結果、拡大されたオブジェクトの領域サイズが、第２臨界値以上であるならば、段階Ｓ７５０でデバイスは、拡大されたオブジェクトの領域に、カレンダー・アプリケーションの週単位イメージを表示する。カレンダー・アプリケーションの週単位イメージは、特定週に含まれた日付、及びそれぞれの日付に係わるメモを記録することができる複数のフィールドを含んでもよい。また、デバイスは、オブジェクトが拡大されるにつれて、カレンダー・アプリケーションの週単位イメージを漸次拡大させて表示することができる。
【０１５６】
また、段階Ｓ７４０での判断結果、拡大されたオブジェクトの領域サイズが、第２臨界値以下であるならば、デバイスは、拡大されたオブジェクトの領域サイズが、第２臨界値以上であるか否かをさらに判断する。その場合、オブジェクトは、ユーザ入力に基づいて、継続的または断続的に拡大中であってもよい。
【０１５７】
段階Ｓ７６０でデバイスは、拡大されたオブジェクトの領域サイズが、第３臨界値以上であるか否かを判断する。デバイスは、拡大されたオブジェクトの領域サイズを獲得し、獲得されたサイズ値を第３臨界値と比較することにより、拡大されたオブジェクトの領域サイズが、第３臨界値以上であるか否かを判断することができる。
【０１５８】
段階Ｓ７６０での判断結果、拡大されたオブジェクトの領域サイズが、第２臨界値以上であるならば、段階Ｓ７７０でデバイスは、拡大されたオブジェクトの領域に、カレンダー・アプリケーションの月単位イメージを表示する。カレンダー・アプリケーションの月単位イメージは、特定月に含まれた日付、及びそれぞれの日付に係わるメモを記録することができる複数のフィールドを含んでもよい。また、デバイスは、オブジェクトが拡大されるにつれて、カレンダー・アプリケーションの月単位イメージを漸次拡大させて表示することができる。
【０１５９】
また、段階Ｓ７６０での判断結果、拡大されたオブジェクトの領域サイズが、第３臨界値以下であるならば、デバイスは、拡大されたオブジェクトの領域サイズが、第３臨界値以上であるか否かをさらに判断する。その場合、オブジェクトは、ユーザ入力に基づいて、継続的または断続的に拡大中であってもよい。
【０１６０】
カレンダー・アプリケーションが拡大されたオブジェクトの領域に表示される一例については、図１５で詳細に説明する。
【０１６１】
図８は、本発明の一実施形態による、オブジェクトに対応する音楽再生アプリケーションを実行し、実行結果を出力する方法の詳細フローチャートである。
【０１６２】
図８の段階Ｓ８００ないし段階Ｓ８７０でオブジェクトは、ユーザ入力に基づいて、継続的または断続的に拡大してもよい。
【０１６３】
段階Ｓ８００でデバイスは、オブジェクトに係わるユーザ入力を受信する。段階Ｓ８００でデバイスは、オブジェクトを既設定の時間以内タッチしてドラッグするユーザ入力を受信することができる。また、デバイスは、オブジェクトのワク部分をタッチしてドラッグするユーザ入力を受信することができる。また、デバイスは、オブジェクトをピンチングするユーザ入力を受信することができる。しかし、デバイスが受信するユーザ入力の種類は、それらに制限されるものではない。
【０１６４】
段階Ｓ８１０でデバイスは、拡大されたオブジェクトの領域サイズが、第１臨界値以上であるか否かを判断する。デバイスは、拡大されたオブジェクトの領域サイズを獲得し、獲得されたサイズ値を第１臨界値と比較することにより、拡大されたオブジェクトの領域サイズが、第１臨界値以上であるか否かを判断することができる。
【０１６５】
段階Ｓ８１０での判断結果、拡大されたオブジェクトの領域サイズが、第１臨界値以下であるならば、デバイスは、拡大されたオブジェクトの領域サイズが、第１臨界値以上であるか否かをさらに判断する。その場合、オブジェクトは、ユーザ入力に基づいて、継続的または断続的に拡大中であってもよい。
【０１６６】
また、段階Ｓ８１０での判断結果、拡大されたオブジェクトの領域サイズが、第１臨界値以上であるならば、段階Ｓ８２０でデバイスは、オブジェクトに対応する音楽再生アプリケーションを実行する。
【０１６７】
また、段階Ｓ８３０でデバイスは、音楽のプレリスニング・サウンドを出力する。
【０１６８】
デバイスは、音楽再生アプリケーションを介して再生される音楽に係わるプレリスニング・サウンドを生成することができる。また、デバイスは、音楽再生アプリケーションを介して再生される音楽に係わるプレリスニング・サウンドを別途のサーバ（図示せず）から受信することもできる。デバイスがプレビューサウンドをサーバ（図示せず）から受信する場合には、デバイスの仕様についての情報、及び再生される音楽の識別値をサーバ（図示せず）に提供し、デバイスの性能に適するフォーマットにエンコードされたプレリスニング・サウンドを受信することができる。
【０１６９】
段階Ｓ８４０でデバイスは、拡大されたオブジェクトの領域に、音楽についての要約情報を表示する。段階Ｓ５３０でデバイスは、音楽についての要約情報を生成し、生成された要約情報を、拡大されたオブジェクトの領域に表示することができる。また、デバイスは、オブジェクトが拡大されるにつれて、表示される要約情報の量を増やすことができる。
【０１７０】
段階Ｓ８５０でデバイスは、拡大されたオブジェクトの領域サイズが、第２臨界値以上であるか否かを判断する。デバイスは、拡大されたオブジェクトの領域サイズを獲得し、獲得されたサイズ値を第２臨界値と比較することにより、拡大されたオブジェクトの領域サイズが、第２臨界値以上であるか否かを判断することができる。
【０１７１】
段階Ｓ８５０での判断結果、拡大されたオブジェクトの領域サイズが、第２臨界値以下であるならば、デバイスは、拡大されたオブジェクトの領域サイズが、第２臨界値以上であるか否かをさらに判断する。その場合、オブジェクトは、ユーザ入力に基づいて、継続的または断続的に拡大中であってもよい。
【０１７２】
また、段階Ｓ８５０での判断結果、拡大されたオブジェクトの領域サイズが、第２臨界値以上であるならば、段階Ｓ８６０でデバイスは、音楽の全体サウンドを出力する。
段階Ｓ８７０でデバイスは、拡大されたオブジェクトの領域に、音楽の再生を制御するための制御画面を表示する。デバイスは、音楽の再生を制御することができるＵＩ（user interface）、及び音楽に係わる詳細情報を共に表示することができる。また、デバイスは、オブジェクトが拡大されるにつれて、音楽の制御画面を漸次拡大させて表示することができる。
【０１７３】
音楽再生アプリケーションの実行結果が表示される一例については、図１７で詳細に説明する。
【０１７４】
図９は、本発明の一実施形態による、オブジェクトが拡大されるにつれて、デバイスがサーバから、オブジェクトに係わる付加情報、及びオブジェクトについてのコンテンツを受信して表示する方法を図示した図面である。
【０１７５】
図９の段階Ｓ９００ないし段階Ｓ９８０でオブジェクトは、ユーザ入力に基づいて、継続的または断続的に拡大してもよい。
【０１７６】
段階Ｓ９００でデバイスは、オブジェクトに係わるユーザ入力を受信する。段階Ｓ９００でデバイスは、オブジェクトを既設定の時間以内タッチしてドラッグするユーザ入力を受信することができる。また、デバイスは、オブジェクトのワク部分をタッチしてドラッグするユーザ入力を受信することができる。また、デバイスは、オブジェクトをピンチングするユーザ入力を受信することができる。しかし、デバイスが受信するユーザ入力の種類は、それらに制限されるものではない。
【０１７７】
段階Ｓ９１０でデバイスは、拡大されたオブジェクトの領域サイズが、第１臨界値以上であるか否かを判断する。デバイスは、拡大されたオブジェクトの領域サイズを獲得し、獲得されたサイズ値を第１臨界値と比較することにより、拡大されたオブジェクトの領域サイズが、第１臨界値以上であるか否かを判断することができる。
【０１７８】
段階Ｓ９１０での判断結果、拡大されたオブジェクトの領域サイズが、第１臨界値以下であるならば、デバイスは、拡大されたオブジェクトの領域サイズが、第１臨界値以上であるか否かをさらに判断する。その場合、オブジェクトは、ユーザ入力に基づいて、継続的または断続的に拡大中であってもよい。
【０１７９】
また、段階Ｓ９１０での判断結果、拡大されたオブジェクトの領域サイズが、第１臨界値以上であるならば、段階Ｓ９２０でデバイスは、オブジェクトについての付加情報をサーバに要請する。例えば、オブジェクトが動画を実行させるためのアイコンである場合、デバイスは、動画についての付加情報をサーバに要請することができる。動画の付加情報は、例えば、動画ファイルの種類、題目、容量、著作者、ランニングタイム及びユーザ評価についての情報のうち少なくとも一つを含んでもよい。
【０１８０】
段階Ｓ９３０でデバイスは、要請された付加情報をサーバから受信する。サーバは、付加情報の要請に応答し、オブジェクトについての付加情報を獲得してデバイスに提供することができる。サーバは、他のサーバから付加情報を収集したり、あるいはサーバに含まれたＤＢ（database）から付加情報を抽出することができる。
【０１８１】
段階Ｓ９４０でデバイスは、拡大されたオブジェクトの領域に、付加情報を表示する。付加情報は、拡大されたオブジェクトの領域サイズによって差別化されるように表示される。例えば、拡大されたオブジェクトの領域サイズによって、付加情報の種類が区別されるように表示される。
【０１８２】
段階Ｓ９５０でデバイスは、拡大されたオブジェクトの領域サイズが、第２臨界値以上であるか否かを判断する。デバイスは、拡大されたオブジェクトの領域サイズを獲得し、獲得されたサイズ値を第２臨界値と比較することにより、拡大されたオブジェクトの領域サイズが、第２臨界値以上であるか否かを判断することができる。
【０１８３】
段階Ｓ９５０での判断結果、拡大されたオブジェクトの領域サイズが、第２臨界値以下であるならば、デバイスは、拡大されたオブジェクトの領域サイズが、第２臨界値以上であるか否かをさらに判断する。その場合、オブジェクトは、ユーザ入力に基づいて、継続的または断続的に拡大中であってもよい。
【０１８４】
段階Ｓ９５０での判断結果、拡大されたオブジェクトの領域サイズが、第２臨界値以上であるならば、段階Ｓ９６０でデバイスは、オブジェクトについてのコンテンツをサーバに要請する。例えば、オブジェクトが動画を実行させるためのアイコンである場合、デバイスは、動画コンテンツをサーバに要請することができる。
【０１８５】
段階Ｓ９６０でデバイスは、要請されたコンテンツをサーバから受信する。サーバは、コンテンツの要請に応答し、オブジェクトについてのコンテンツを獲得してデバイスに提供することができる。サーバは、他のサーバからオブジェクトについてのコンテンツを収集したり、あるいはサーバに含まれたＤＢからオブジェクトについてのコンテンツを抽出することができる。また、オブジェクトについてのコンテンツは、ダウンローディング方式またはストリーミング方式で、デバイスに提供される。
【０１８６】
段階Ｓ９７０でデバイスは、受信されたコンテンツの再生画面を表示する。デバイスは、オブジェクトの領域サイズが拡大されるにつれて、コンテンツの再生画面を拡大させて表示することができるが、それに制限されるものではない。
【０１８７】
図９でオブジェクトについてのコンテンツは、例えば、動画、イメージ及び文書を含んでもよいが、それに制限されるものではない。
【０１８８】
図１０は、本発明の一実施形態による、オブジェクトに対応するアプリケーションを実行させるユーザ入力の一例を図示した図面である。
【０１８９】
図１０を参照すれば、ユーザが、オブジェクトの一例として、天気アイコン１０のワク部分１１をタッチしてドラッグ（１２）する場合、デバイスは、オブジェクトに係わる複数の実行モードのうち、第２実行モードを選択することができる。また、第２実行モードによって、天気アイコン１０に対応する天気アプリケーションを実行することができる。また、天気アイコン１０が拡大されるにつれて、拡大されたオブジェクトの領域に、天気アプリケーションの実行結果が漸次拡大されて表示される。
【０１９０】
また、天気アイコン１０の領域の一部分（例えば、オブジェクトの一部領域、オブジェクトに含まれた所定の文言）をタッチしてドラッグする場合、デバイスは、オブジェクトに係わる複数の実行モードのうち、第２実行モードを選択することができる。
【０１９１】
図１１は、本発明の一実施形態による、拡大されたオブジェクトが縮小される一例を図示した図面である。
【０１９２】
図１１を参照すれば、デバイスは、天気アイコン１０がタッチされてドラッグ（１２）された後、タッチが維持された状態で、タッチを天気アイコン１０が拡大される以前の方向にフリック（１３）する入力を受信することができる。また、デバイスは、タッチ＆ドラッグ＆フリックの入力が受信されることにより、拡大された天気アイコン１０をタッチ以前の大きさに縮小して表示することができる。その場合にデバイスは、天気アイコン１０に対応する天気アプリケーションの実行を終了することができる。
【０１９３】
また、天気アイコン１０がタッチされてドラッグ（１２）されることにより、天気アイコン１０の領域が拡大され、天気アイコン１０の領域が所定のユーザ入力によって固定された後、天気アイコン１０の領域の一部分がタッチされ、天気アイコン１０が拡大される以前の位置に向けてドラッグされる場合、拡大された天気アイコン１０の領域が縮小される。
【０１９４】
また、天気アイコン１０がタッチされてドラッグ（１２）されることにより、天気アイコン１０の領域が拡大され、天気アイコン１０の領域が所定のユーザ入力によって固定された後、天気アイコン１０の領域の一部分（例えば、拡大された領域を復帰させるためのアイコンが表示された領域）がタッチされることにより、拡大された天気アイコン１０の領域が縮小される。
【０１９５】
一方、天気アイコン１０がタッチされてドラッグ（１２）された後、既設定の時間内にタッチが終わることにより、拡大された天気アイコン１０の領域が縮小されもする。
【０１９６】
図１２は、本発明の一実施形態による、オブジェクトが固定されて表示される一例を図示した図面である。
【０１９７】
図１２を参照すれば、天気アイコン１０がタッチされてドラッグ（１２）された後、既設定の時間以上タッチがホールドされることにより、デバイスは、拡大された天気アイコン１０の領域サイズを固定させることができる。
【０１９８】
また、天気アイコン１０がタッチされてドラッグ（１２）された後、タッチによって、ディスプレイに加えられる圧力の大きさが、既設定の数値以上である場合、デバイスは、拡大された天気アイコン１０の領域サイズを固定させることもできる。
【０１９９】
また、大きさが固定された天気アイコン１０の領域の右側上端には、天気アイコン１０の領域サイズが固定されたことを示す所定のアイコン１４が表示される。また、天気アイコン１０の領域サイズが固定されるとき、天気アイコン１０の領域のワク１５が所定の色相で複数回点滅する。また、天気アイコン１０の領域サイズが固定されるとき、デバイスで、所定パターンの振動が発生することもある。また、天気アイコン１０の領域サイズが固定されたことを知らせる視覚的効果、聴覚的効果、触覚的効果のうち、二つ以上が結合された効果がデバイスによって出力される。
【０２００】
また、例えば、オブジェクトがタッチされてドラッグされた後、オブジェクトの所定位置がタップされることにより、拡大されたオブジェクトの大きさが固定されもする。オブジェクトがタッチされてドラッグされた後、オブジェクトの頂点に、ピン（pin）状のアイコンが所定時間の間表示され、ユーザがピン状のアイコンをタップすれば、拡大されたオブジェクトの大きさが固定される。もし所定時間内にピン状のアイコンがタップされなければ、拡大されたオブジェクトは、本来の大きさに縮小される。
【０２０１】
また、例えば、ユーザがオブジェクトを２本の指でタッチし、そのうち１本の指でドラッグした後、ドラッグした指をオブジェクトから離し、再びオブジェクトをタッチすれば、オブジェクトの大きさが固定されもする。
【０２０２】
また、例えば、ユーザがオブジェクトをタッチしてドラッグした後に指を擦れば、オブジェクトの大きさが固定される。
【０２０３】
また、例えば、ユーザがオブジェクトをタッチしてドラッグした後、既設定の音声をデバイスに入力すれば、オブジェクトの大きさが固定される。
【０２０４】
図１３は、本発明の一実施形態による、オブジェクトが段階的に拡大されるにつれて、オブジェクトに対応するアプリケーションの実行結果が画面に表示される一例を図示した図面である。
【０２０５】
図１３に図示されたように、天気アイコン１０が拡大されるにつれて、拡大された天気アイコン１０の領域から、天気アイコン１０は消えるか、あるいは天気アイコン１０にオーバーラップされて天気アプリケーションの実行画面１６がディスプレイされる。また、拡大された領域が漸次拡張されることにより、天気アプリケーションの実行画面１６が漸次拡大されて表示される。他の場合、天気アイコン１０は、アプリケーションの実行画面１６と共にディスプレイされる。
【０２０６】
図１４は、本発明の他の実施形態による、オブジェクトが段階的に拡大されるにつれて、オブジェクトに対応するアプリケーションの実行画面の一部または全部が画面に表示される一例を図示した図面である。
【０２０７】
図１４に図示されたように、天気アイコン１０が段階的に拡大されるにつれて、天気アイコン１０の領域に、天気アプリケーションの実行画面の一部１８または全部１６がディスプレイされる。具体的には、天気アイコン１０の領域サイズが、第１臨界値以上であって第２臨界値以下である場合には、図１４（ｂ）及び図１４（ｃ）でのように、天気アプリケーションの実行画面の一部が漸次拡張されて表示される。
【０２０８】
また、天気アイコン１０の領域サイズが、第２臨界値以上である場合には、図１４（ｃ）及び図１４（ｄ）でのように、天気アプリケーションの実行画面の全部が漸次拡張されて表示される。
【０２０９】
また、天気アイコン１０の領域サイズが、第１臨界値以上であって第２臨界値以下である場合には、特定日の天気についての情報が表示され、天気アイコン１０の領域サイズが、第２臨界値以上である場合、は特定週の天気についての情報が表示されもする。例えば、天気アプリケーションの実行されたときが月曜日であり、天気アイコン１０の領域サイズが、第１臨界値以上であって第２臨界値以下である場合には、月曜日の天気情報が画面に表示される。また、天気アイコン１０の領域サイズが、第１臨界値以上であって第２臨界値以下であり、天気アイコン１０の領域サイズが拡大されるにつれて、月曜日及び火曜日の天気情報が表示される。また、天気アイコン１０の領域サイズが、第２臨界値以上である場合には、月曜日ないし日曜日の天気情報が表示される。
【０２１０】
図１５は、本発明の一実施形態による、オブジェクトに対応するアプリケーションがカレンダー・アプリケーションである場合、オブジェクトが拡大されるにつれて、カレンダーのイメージが段階的に変換されて表示される一例を図示した図面である。
【０２１１】
図１５を参照すれば、カレンダーアイコン３０が段階的に拡大されるにつれて、カレンダーアイコン３０の領域に、カレンダー・アプリケーションの実行結果が段階的にディスプレイされる。具体的には、カレンダーアイコン３０の領域サイズが、第１臨界値以上であって第２臨界値以下である場合には、図１５（ｂ）でのように、カレンダー・アプリケーションの日単位イメージ３２が表示される。また、カレンダーアイコン３０の領域サイズが、第２臨界値以上であって第３臨界値以下である場合には、図１５（ｃ）でのように、カレンダー・アプリケーションの週単位イメージ３４が表示される。また、カレンダーアイコン３０の領域サイズが、第３臨界値以上である場合には、図１５（ｄ）でのように、カレンダー・アプリケーションの月単位イメージ３６が表示される。また、カレンダーアイコン３０の領域サイズが拡大されるにつれて、カレンダー・アプリケーションの日単位、週単位及び日単位のイメージは、漸次拡大されて表示される。
【０２１２】
図１６は、本発明の一実施形態による、オブジェクトに対応するアプリケーションが動画アプリケーションである場合、オブジェクトが拡大されるにつれて、動画のプレビュー映像及び動画の再生映像が表示される一例を図示した図面である。
【０２１３】
図１６を参照すれば、動画アイコン４０が段階的に拡大されるにつれて、動画アイコン４０の領域に、動画のプレビュー映像４２、及び動画の再生映像４４が段階的にディスプレイされる。具体的には、動画アイコン４０の領域サイズが、第１臨界値以上であって第２臨界値以下である場合には、図１６（ｂ）でのように、動画のプレビュー映像４２がディスプレイされる。また、動画アイコン４０の領域サイズが、第２臨界値以上である場合には、図１６（ｃ）でのように、動画の再生映像４４がディスプレイされる。また、動画の再生映像４４には、動画の再生を制御することができる複数のアイコンが含まれる。
【０２１４】
図１７は、本発明の一実施形態による、オブジェクトに対応するアプリケーションが音楽再生アプリケーションである場合、オブジェクトが拡大されるにつれて、アプリケーションの実行結果が段階的に変換されて表示される一例を図示した図面である。
【０２１５】
図１７を参照すれば、音楽アイコン５０が段階的に拡大されるにつれて、音楽アイコン５０の領域に、当該音楽に係わる要約情報５２、及び当該音楽の再生を制御するための画面５４が段階的にディスプレイされる。具体的には、音楽アイコン５０の領域サイズが、第１臨界値以上であって第２臨界値以下である場合には、図１７（ｂ）でのように、音楽に係わる要約情報５２がディスプレイされる。また、これと共に、当該音楽についてのプレリスニング・サウンドがデバイスに出力される。
【０２１６】
また、音楽アイコン５０の領域サイズが、第２臨界値以上である場合には、図１７（ｃ）でのように、音楽の再生を制御するための画面５４がディスプレイされる。また、これと共に、当該音楽の再生サウンドがデバイスに出力される。
【０２１７】
図１８は、本発明の一実施形態による、オブジェクトに対応するアプリケーションがインターネット・ブラウザ実行アプリケーションである場合、オブジェクトが拡大されるにつれて、アプリケーションの実行結果が段階的に変換されて表示される一例を図示した図面である。
【０２１８】
図１８を参照すれば、インターネット・ブラウザアイコン６０が段階的に拡大されるにつれて、インターネット・ブラウザアイコン６０の領域に、モバイル用ブラウザ６２及びＰＣ（personal computer）用ブラウザ６４が段階的にディスプレイされる。具体的には、インターネット・ブラウザアイコン６０の領域サイズが、第１臨界値以上であって第２臨界値以下である場合には、図１８（ｂ）でのように、モバイル用ブラウザ６２がディスプレイされる。
【０２１９】
また、インターネット・ブラウザアイコン６０の領域サイズが、第２臨界値以上である場合には、図１８（ｃ）でのように、ＰＣ用ブラウザ６４がディスプレイされる。
【０２２０】
図１９は、本発明の一実施形態による、オブジェクトが拡大されるにつれて、ディスプレイ上のオブジェクトにおいて、拡大されたオブジェクト以外の他のオブジェクトの位置及び配列が調節される一例を図示した図面である。
【０２２１】
図１９を参照すれば、オブジェクト３０００が拡大されれば、ディスプレイ上のオブジェクトにおいて、拡大されたオブジェクト３０００以外の他のオブジェクトは、拡大されたオブジェクト３０００と重ならないように、位置及び配列が変更される。
【０２２２】
図２０は、本発明の一実施形態による、オブジェクトが拡大されるにつれて、拡大されたオブジェクトの透明度が調節されて表示される一例を図示した図面である。
【０２２３】
図２０を参照すれば、オブジェクトが拡大されれば、拡大されたオブジェクト３０１０が、他のオブジェクト上にオーバーラップされて表示される。また、拡大されたオブジェクト３０１０の透明度が調節されて半透明に表示される。
【０２２４】
図２１は、本発明の一実施形態による、拡大されたオブジェクトに含まれたオブジェクトが、ユーザ入力に基づいて、拡大されて表示される一例を図示した図面である。
【０２２５】
図２１を参照すれば、デバイス画面上の第１オブジェクトが拡大されるにつれて、拡大された第１オブジェクトの領域には、第１オブジェクトと係わる複数のオブジェクトが表示される。その後、所定のユーザ入力によって、拡大された第１オブジェクトが固定される。その後、他の複数のオブジェクトのうち、第２オブジェクトがタッチされてドラッグされることにより、第２オブジェクトが拡大される。
【０２２６】
例えば、デバイス、他のデバイスまたはサーバに保存されたファイルを見るためのアイコン３０３０が拡大されるにつれて、デバイス、他のデバイスまたはサーバに保存されたファイルが、拡大されたアイコン３０３０の領域に表示され、表示されたファイルのうち１つのファイル３０４０が拡大されるにつれて、拡大されたファイル３０４０の領域には、ファイル３０４０についての付加情報、またはファイル３０４０の実行結果が表示される。
【０２２７】
図２２は、本発明の一実施形態による、メッセージお知らせ窓が拡大されるにつれて、メッセージについての情報が表示される一例を図示した図面である。
【０２２８】
図２２を参照すれば、デバイスがメッセージを受信した場合、デバイスの画面には、メッセージお知らせ窓３０５０が表示される。このとき、メッセージお知らせ窓３０５０には、受信されたメッセージについての要約情報が表示される。例えば、「ＯＯＯのメッセージ到着」という文言が、メッセージお知らせ窓３０５０に表示される。
【０２２９】
その後、ユーザ入力に基づいて、メッセージお知らせ窓３０５０が拡大されれば、拡大されたメッセージお知らせ窓３０５０には、メッセージの詳細情報が表示される。例えば、メッセージのタイトル及びメッセージの内容が、拡大されたメッセージお知らせ窓３０５０に表示される。
【０２３０】
また、メッセージお知らせ窓３０５０は、デバイスのロッキング（locking）を解除するボタンが表示された画面、及び背景画面のうち少なくとも一つに表示されるが、それらに制限されるものではない。
【０２３１】
図２３は、本発明の一実施形態による、デバイスの画面上に表示された複数のウィジェット（widget）窓のうち、一部が拡大されて表示される一例を図示した図面である。
【０２３２】
図２３を参照すれば、デバイスの画面上には、複数のウィジェット窓が表示され、複数のウィジェット窓のうち、１つのウィジェット窓３０６０が拡大される。また、拡大されたウィジェット窓３０６０は、他のウィジェット窓上にオーバーラップされて表示され、拡大されたウィジェット窓３０６０の領域には、ウィジェット窓に対応するコンテンツの詳細情報が表示される。
【０２３３】
図２４は、本発明の一実施形態による、デバイスの画面上で、複数の拡大されたオブジェクトの領域が固定された一例を図示した図面である。
【０２３４】
図２４を参照すれば、デバイスの画面上には、天気についての第１オブジェクト３０７０が拡大され、拡大された第１オブジェクト３０７０の領域が固定され、固定された第１オブジェクト３０７０の領域には、天気情報が表示される。また、デバイスの画面上には、カレンダーについての第２オブジェクト３０８０が拡大され、拡大された第２オブジェクト３０８０の領域が固定され、固定された第２オブジェクト３０８０の領域には、カレンダー情報が表示される。また、拡大された第１オブジェクト３０７０の領域及び拡大された第２オブジェクト３０８０の領域は、デバイスの画面に共に表示される。
【０２３５】
図２５は、本発明の一実施形態による、音楽ファイルアイコンが拡大されるにつれて、デバイスが音楽ファイルをサーバから受信し、拡大された音楽ファイルアイコンの領域に、音楽ファイルについての情報が表示される一例を図示した図面である。
【０２３６】
図２５を参照すれば、音楽ファイルアイコンが、第１臨界値以上拡大されるにつれて、拡大された音楽ファイルアイコンの領域には、音楽ファイルについての付加情報が表示される。このとき、デバイスは、音楽ファイルについての付加情報は、サーバから受信することができるが、これに制限されるものではない。
【０２３７】
その後、音楽ファイルアイコンが、第２臨界値以上拡大されれば、デバイスは、音楽ファイルをサーバからダウンロードする。このとき、拡大された音楽ファイルアイコンの領域には、音楽ファイルのダウンロード程度を示す情報が表示される。
【０２３８】
その後、ダウンロードが完了すれば、拡大された音楽ファイルのアイコンの領域には、音楽ファイルの制御画面が表示される。
【０２３９】
図２６は、本発明の一実施形態による、デバイスが、動画ファイルを再生することができない場合、拡大された動画ファイルのアイコンの領域に、動画ファイルについての情報が表示される一例を図示した図面である。
【０２４０】
図２６を参照すれば、動画ファイルアイコンが、第１臨界値以上拡大されるにつれて、拡大された動画ファイルアイコンの領域には、動画ファイルについての付加情報が表示される。このとき、デバイスは、動画ファイルについての付加情報は、サーバから受信することができるが、これに制限されるものではない。
【０２４１】
その後、動画ファイルアイコンが、第２臨界値以上拡大されれば、デバイスは、動画ファイルをサーバからダウンロードする。このとき、拡大された動画ファイルアイコンの領域には、動画ファイルのダウンロード程度を示す情報が表示される。
【０２４２】
その後、デバイスがダウンロードされた動画を再生することができない場合、動画再生が可能ではないということを知らせるためのお知らせ情報が、拡大された動画ファイルのアイコンの領域に表示される。また、動画を再生させるための情報を受信することができるように、別途のリンク情報が表示される。例えば、デバイスに動画を再生するコーデックまたはアプリケーションが設置されていない場合、コーデックまたはアプリケーションをダウンロードすることができるリンク情報が画面に表示される。
【０２４３】
以下では、図２７及び図２８を参照し、本発明の一実施形態による、オブジェクトに係わるユーザ入力に基づいて、オブジェクトに係わるお知らせメッセージが表示される一例について説明する。図２７及び図２８でオブジェクトは、アプリケーションのアイコンであってもよい。
【０２４４】
図２７は、本発明の一実施形態による、オブジェクトに係わるユーザ入力が受信されることにより、スピーチバブル状のメッセージ表示窓を介して、オブジェクトに係わるお知らせメッセージが表示される一例を図示した図面である。
【０２４５】
図２７（ａ）を参照すれば、アプリケーションに係わるお知らせメッセージが受信されれば、アプリケーションのアイコン２７０上には、お知らせメッセージの個数を示すアイコン２７２が、アイコン２７０上にオーバーラップされる。アプリケーションに係わるお知らせメッセージは、アプリケーションについてのプッシュ・メッセージであり、例えば、アプリケーションのアップデートを知らせるためのメッセージ、アプリケーションについての広告メッセージを含んでもよいが、それらに制限されるものではない。
【０２４６】
また、ユーザがアプリケーションのアイコン２７０をタッチし、アイコン２７０の下側にドラッグすれば、図２７（ｂ）及び図２７（ｃ）でのように、アプリケーションのアイコン２７０の周辺に、メッセージ表示窓２７６，２８０が表示される。例えば、ユーザが、アプリケーションのアイコン２７０を既設定の時間以上タッチしてドラッグすることにより、メッセージ表示窓２７６，２８０が表示されるが、それに制限されるものではない。また、メッセージ表示窓２７６，２８０は、スピーチバブル状でもあり、お知らせメッセージ表示窓２７６，２８０の一部分が、アイコン２７０の一部分上にオーバーラップされる。
【０２４７】
また、メッセージ表示窓２７６，２８０には、オブジェクトに関連したお知らせメッセージが表示される。もしオブジェクトに係わるお知らせメッセージが複数である場合、既設定の順に、お知らせメッセージが表示される。例えば、複数のお知らせメッセージは、受信された順序によって表示される。また、例えば、複数のお知らせメッセージのうち、アップデートを知らせるためのお知らせメッセージが先に表示され、広告メッセージが後に表示される。しかし、それらに制限されるものではない。
【０２４８】
また、図２７（ｂ）を参照すれば、アイコン２７０がタッチされてドラッグされることにより、アイコン２７０が表示された領域のうち一部分に、アイコン２７０の一部分２７８だけが表示される。その場合、アイコン２７０のイメージが、アイコン２７０が表示された領域から下側にスライディングされながら、アイコン２７０の一部分２７８だけが表示される。
【０２４９】
また、図２７（ｃ）を参照すれば、アイコン２７０がタッチされてドラッグされることにより、アイコン２７０は、書類ファイルが開かれているように表示されるが、それに制限されるものではない。
【０２５０】
図２８は、本発明の一実施形態による、オブジェクトに係わるユーザ入力に基づいて、オブジェクトの下部に表示されるメッセージ表示窓を介して、オブジェクトに係わるお知らせメッセージが表示される一例を図示した図面である。
【０２５１】
図２８（ａ）を参照すれば、アプリケーションに係わるお知らせメッセージが受信されれば、アプリケーションのアイコン２７０上には、お知らせメッセージの個数を示すアイコン２７２が、アイコン２７０上にオーバーラップされる。アプリケーションに係わるお知らせメッセージは、アプリケーションについてのプッシュ・メッセージであり、例えば、アプリケーションのアップデートを知らせるためのメッセージ、アプリケーションについての広告メッセージを含んでもよいが、それらに制限されるものではない。
【０２５２】
また、ユーザがアプリケーションのアイコン２７０をタッチし、アイコン２７０の下側にドラッグすれば、図２８（ｂ）及び図２８（ｃ）でのように、アプリケーションのアイコン２７０の下に、メッセージ表示窓２８２，２８４が表示される。例えば、ユーザがアプリケーションのアイコン２７０を、既設定の時間以上タッチしてドラッグすることにより、メッセージ表示窓２８２，２８４が表示されるが、それに制限されるものではない。
【０２５３】
また、図２８（ｂ）を参照すれば、アイコン２７０がタッチされてドラッグされることにより、アイコン２７０の下側に、メッセージ表示窓２８２がスライディングされながら示される。
【０２５４】
また、図２８（ｃ）を参照すれば、アイコン２７０がタッチされてドラッグされることにより、アイコン２７０の下側に、メッセージ表示窓２８４が、折り畳まれた紙が開かれるように表示される。また、メッセージ表示窓２８４は、断続的に拡張されて表示される。例えば、メッセージ表示窓２８４は、複数回折り畳まれた紙が段階的に開かれるように表示される。しかし、それに制限されるものではない。
【０２５５】
図２９は、本発明の一実施形態による、ディスプレイ上のオブジェクトを実行するデバイスの構造を示した図面である。
【０２５６】
移動通信部１００１は、３Ｇ／４Ｇのようなセルラネットワークを介して、基地局とのコール（call）設定、データ通信などを遂行する。サブ通信部１００２は、ブルートゥース（登録商標、以下同じ）やＮＦＣ（near field communication）のような近距離通信のための機能を遂行する。放送部１００３は、ＤＭＢ（digital multimedia broadcasting）放送信号を受信する。
【０２５７】
カメラ部１００４は、写真や動画を撮影するためのレンズ及び光学素子を含む。
【０２５８】
センサ部１００５は、デバイスの動きを感知する重力センサ、光の明度を感知する照度センサ、人の近接度を感知する近接センサ、人の動きを感知するモーションセンサなどを含んでもよい。
【０２５９】
ＧＰＳ（global positioning system）受信部１００６は、人工衛星からＧＰＳ信号を受信する。かようなＧＰＳ信号を利用して、多様なサービスがユーザに提供される。
【０２６０】
入出力部１０１０は、外部機器や人とのインターフェースを提供し、ボタン１０１１、マイク１０１２、スピーカ１０１３、振動モータ１０１４、コネクタ１０１５、キーパッド１０１６を含む。
【０２６１】
タッチスクリーン１０１８は、ユーザのタッチ入力を受信する。また、タッチスクリーン・コントローラ１０１７は、タッチスクリーン１０１８を介して入力されたタッチ入力を制御部１０５０に伝達する。電源供給部１０１９は、デバイスに必要な電力を供給するために、バッテリまたは外部電源ソースと連結される。
【０２６２】
制御部１０５０は、メモリ１０６０に保存されたプログラムを実行することにより、本発明によって、ディスプレイ上のオブジェクトを実行し、実行結果を画面に表示する。
【０２６３】
メモリ１０６０に保存されたプログラムは、その機能によって、複数個のモジュールに分類されるが、移動通信モジュール１０６１、Ｗｉ−Ｆｉモジュール１０６２、ブルートゥース・モジュール１０６３、ＤＭＢモジュール１０６２、カメラ・モジュール１０６５、センサ・モジュール１０６６、ＧＰＳモジュール１０６７、動画再生モジュール１０６８、オーディオ再生モジュール１０６９、電源モジュール１０７０、タッチスクリーン・モジュール１０７１、ＵＩモジュール１０７２、アプリケーション・モジュール１０７３などに分類される。
【０２６４】
例えば、移動通信モジュール１０６１、Ｗｉ−Ｆｉモジュール１０６２、ブルートゥース・モジュール１０６３は、移動通信部１００１、サブ通信部１００２及び放送受信部１００３のうち少なくとも一つを利用して、他のデバイスまたはサーバから、オブジェクトについての情報を受信することができる。
【０２６５】
また、例えば、タッチスクリーン・モジュール１０７０は、デバイスの画面を介したユーザのタッチ入力を受信することができる。
【０２６６】
また、例えば、アプリケーション・モジュール１０７３は、ユーザのタッチ入力の種類を判断し、ユーザのタッチ入力によって、オブジェクトを拡大させるか否かを決定することができる。また、例えば、アプリケーション・モジュール１０７３は、拡大されたオブジェクトの領域サイズが、所定の臨界値以上であるか否かを判断することができ、拡大されたオブジェクトの領域に、いかなる情報を表示するかを決定することができる。また、例えば、アプリケーション・モジュール１０７３は、オブジェクトの領域が拡大されるにつれて、ディスプレイ画面を、いかように処理するかを決定することができる。
【０２６７】
また、例えば、アプリケーション・モジュール１０７３は、ユーザのタッチ入力に基づいて、オブジェクトに係わるお知らせメッセージを、いかように表示するかを決定することができる。
【０２６８】
また、例えば、ＵＩモジュール１０７２は、アプリケーション・モジュール１０７３の決定に基づいて、デバイスの画面上に、オブジェクトを拡大させて表示し、拡大されたオブジェクトの領域に、所定の情報を表示することができる。また、例えば、ＵＩモジュール１０７２は、アプリケーション・モジュール１０７３の決定に基づいて、拡大されたオブジェクトの領域を固定させて表示したり、あるいは拡大されたオブジェクトを縮小させることができる。
【０２６９】
また、例えば、ＵＩモジュール１０７２は、アプリケーション・モジュール１０７３の決定に基づいて、オブジェクトと別途に表示されるメッセージ表示窓に、オブジェクトと係わるお知らせメッセージを表示することができる。
【０２７０】
各モジュールの機能は、その名称から、当業者が直観的に推論することができ、それぞれのモジュールは、図１ないし図２８で説明した一つ以上の機能を遂行するための命令語の集合（combination）に対応することができる。
【０２７１】
命令語は、別個のソフトウェア・プログラム、手続きまたはモジュールで実行される必要はない。メモリ１０６０は、さらなる命令語、またはさらに少ない命令語を含んでもよい。さらに、デバイスの多様な機能が、一つ以上の信号プロセッシング及び／またはアプリケーション特定集積回路を含むハードウェア及び／またはソフトウェアで実行される。
【０２７２】
本明細書で説明した発明の実施形態及び全ての機能動作は、デジタル電子回路内、または本明細書で開示された構造、及びそれらの均等構造を含むコンピュータ・ソフトウェア、ファームウエアまたはハードウェアの内部、またはそれらの１以上の組み合わせの内部で実施される。
【０２７３】
コンピュータ可読媒体は、コンピュータによってアクセスされる任意の可用媒体であり、揮発性及び不揮発性の媒体、分離型及び非分離型の媒体をいずれも含む。また、コンピュータ可読媒体は、コンピュータの記録媒体及び通信媒体をいずれも含んでもよい。コンピュータ記録媒体は、コンピュータ可読命令語、データ構造、プログラム・モジュール、またはその他のデータのような情報保存のための任意の方法、または技術で具現された揮発性及び不揮発性、分離型及び非分離型の媒体をいずれも含む。通信媒体は、典型的に、コンピュータ可読命令語、データ構造、プログラムモジュール、または搬送波のような変調されたデータ信号のその他データ、またはその他の送信メカニズムを含み、任意の情報伝達媒体を含む。
【０２７４】
前述の本発明の説明は、例示のためのものであり、本発明が属する技術分野の当業者であるならば、本発明の技術的思想や必須な特徴を変更せずにも、他の具体的な形態に容易に変形が可能であるということを理解することができるであろう。従って、以上で記述した実施形態は、全ての面で例示的なものであり、限定的ではないということを理解しなければならない。
【０２７５】
本発明の範囲は、前記詳細な説明よりも、特許請求の範囲によって示され、特許請求の範囲の意味及び範囲、そしてその均等概念から導き出される全ての変更または変形された形態が、本発明の範囲に含まれるものであると解釈されなければならない。
【産業上の利用可能性】
【０２７６】
本発明のディスプレイ上のオブジェクトを実行する方法及びそのデバイスは、例えば、マルチメディア機器関連の技術分野に効果的に適用可能である。
【符号の説明】
【０２７７】
１０    天気アイコン
３０    カレンダー・アイコン
４０    動画アイコン
５０    音楽アイコン
６０    ブラウザ・アイコン
２７０    アプリケーションのアイコン
２７２    メッセージ数を示すアイコン
２７６，２８０，２８２，２８４    メッセージ表示窓
１００１    移動通信部
１００２    サブ通信部
１００３    放送受信部
１００４    カメラ部
１００５    センサ部
１００６    ＧＰＳ受信部
１０１０    入出力部
１０１１    ボタン
１０１２    マイク
１０１３    スピーカ
１０１４    振動モータ
１０１５    コネクタ
１０１６    キーパッド
１０１７    タッチスクリーン・コントローラ
１０１８    タッチスクリーン
１０１９    電源供給部
１０６０    メモリ
１０６１    移動通信モジュール
１０６２    Ｗｉ−Ｆｉモジュール
１０６３    ブルートゥース・モジュール
１０６４    ＤＭＢモジュール
１０６５    カメラ・モジュール
１０６６    センサ・モジュール
１０６７    ＧＰＳモジュール
１０６８    動画再生モジュール
１０６９    オーディオ再生モジュール
１０７０    電源モジュール
１０７１    タッチスクリーン・モジュール
１０７２    ＵＩモジュール
１０７３    アプリケーション・モジュール
３０００    オブジェクト
３０１０    拡大されたオブジェクト
３０３０    拡大されたアイコン
３０４０    １つのファイル
３０５０    メッセージお知らせ窓
３０６０    ウィジェット窓
３０７０    第１オブジェクト
３０８０    第２オブジェクト
【図１】
2018067363.tif 000003
【図２】
2018067363.tif 000004
【図３】
2018067363.tif 000005
【図４】
2018067363.tif 000006
【図５】
2018067363.tif 000007
【図６】
2018067363.tif 000008
【図７】
2018067363.tif 000009
【図８】
2018067363.tif 000010
【図９】
2018067363.tif 000011
【図１０】
2018067363.tif 000012
【図１１】
2018067363.tif 000013
【図１２】
2018067363.tif 000014
【図１３】
2018067363.tif 000015
【図１４】
2018067363.tif 000016
【図１５】
2018067363.tif 000017
【図１６】
2018067363.tif 000018
【図１７】
2018067363.tif 000019
【図１８】
2018067363.tif 000020
【図１９】
2018067363.tif 000021
【図２０】
2018067363.tif 000022
【図２１】
2018067363.tif 000023
【図２２】
2018067363.tif 000024
【図２３】
2018067363.tif 000025
【図２４】
2018067363.tif 000026
【図２５】
2018067363.tif 000027
【図２６】
2018067363.tif 000028
【図２７】
2018067363.tif 000029
【図２８】
2018067363.tif 000030
【図２９】
2018067363.tif 000031